(57)【要約】【課題】見守りシステムについての設定作業における人的負担を軽減する。【解決手段】対象物の位置が地理的な領域である基準領域内であるか否かを判定する判定部と、前記基準領域の候補である基準領域候補を抽出する抽出部と、抽出された前記基準領域候補に関する情報を基準条件と対応させて出力する出力部と、を備える、情報処理装置を提供する。【選択図】図４
2018193808.tif 000002
【特許請求の範囲】
【請求項１】
対象物の位置が地理的な領域である基準領域内であるか否かを判定する判定部と、
前記基準領域の候補である基準領域候補を抽出する抽出部と、
抽出された前記基準領域候補に関する情報を基準条件と対応させて出力する出力部と、
を備える、
情報処理装置。
【請求項２】
前記判定部は、前記対象物の位置が前記基準領域内であると判定された場合、前記基準領域と対応する前記基準条件が満たされるか否かを判定する、
請求項１に記載の情報処理装置。
【請求項３】
前記基準条件は、時間に関する情報を規定する条件である時間条件、環境に関する情報を規定する条件である環境条件、又は前記対象物の行動に関する情報を規定する条件である行動条件を含む、
請求項１に記載の情報処理装置。
【請求項４】
前記対象物の行動に関する情報は、前記対象物の移動方法、同伴者又は行動内容を示す情報を含む、
請求項３に記載の情報処理装置。
【請求項５】
抽出された前記基準領域候補に基づいて前記基準領域及び前記基準条件を設定する設定部を備える、
請求項１に記載の情報処理装置。
【請求項６】
前記出力部は、前記判定部による判定結果に関する情報を出力する、
請求項５に記載の情報処理装置。
【請求項７】
前記設定部は、出力された前記判定部による判定結果に関する情報に対するユーザからの入力情報の履歴に基づいて、前記基準領域及び前記基準条件を設定する、
請求項６に記載の情報処理装置。
【請求項８】
前記出力部は、出力された前記判定部による判定結果に関する情報に対するユーザからの入力情報の履歴に基づいて、前記判定部による判定結果に関する情報を出力する、
請求項６に記載の情報処理装置。
【請求項９】
前記抽出部は、前記対象物の位置の履歴に基づいて前記基準領域候補又は前記基準領域候補と対応する前記基準条件を抽出する、
請求項１に記載の情報処理装置。
【請求項１０】
対象物の位置が地理的な領域である基準領域内であるか否かを判定することと、
前記基準領域の候補である基準領域候補を抽出することと、
抽出された前記基準領域候補に関する情報を基準条件と対応させて情報処理装置によって出力することと、
を含む、
情報処理方法。
【請求項１１】
コンピュータを、
対象物の位置が地理的な領域である基準領域内であるか否かを判定する判定部と、
前記基準領域の候補である基準領域候補を抽出する抽出部と、
抽出された前記基準領域候補に関する情報を基準条件と対応させて出力する出力部と、
として機能させるためのプログラム。
【請求項１２】
前記判定部は、前記対象物の位置が前記基準領域内であると判定された場合、前記基準領域と対応する前記基準条件が満たされるか否かを判定する、
請求項１１に記載のプログラム。
【請求項１３】
前記基準条件は、時間に関する情報を規定する条件である時間条件、環境に関する情報を規定する条件である環境条件、又は前記対象物の行動に関する情報を規定する条件である行動条件を含む、
請求項１１に記載のプログラム。
【請求項１４】
前記対象物の行動に関する情報は、前記対象物の移動方法、同伴者又は行動内容を示す情報を含む、
請求項１３に記載のプログラム。
【請求項１５】
前記コンピュータを、抽出された前記基準領域候補に基づいて前記基準領域及び前記基準条件を設定する設定部としてさらに機能させるための、
請求項１１に記載のプログラム。
【請求項１６】
前記出力部は、前記判定部による判定結果に関する情報を出力する、
請求項１５に記載のプログラム。
【請求項１７】
前記設定部は、出力された前記判定部による判定結果に関する情報に対するユーザからの入力情報の履歴に基づいて、前記基準領域及び前記基準条件を設定する、
請求項１６に記載のプログラム。
【請求項１８】
前記出力部は、出力された前記判定部による判定結果に関する情報に対するユーザからの入力情報の履歴に基づいて、前記判定部による判定結果に関する情報を出力する、
請求項１６に記載のプログラム。
【請求項１９】
前記抽出部は、前記対象物の位置の履歴に基づいて前記基準領域候補又は前記基準領域候補と対応する前記基準条件を抽出する、
請求項１１に記載のプログラム。
【発明の詳細な説明】
【技術分野】
【０００１】
本開示は、情報処理装置、情報処理方法及びプログラムに関する。
【背景技術】
【０００２】
従来、対象物の位置を示す位置情報を用いて各種サービスを提供する情報処理システムが利用されている。【０００３】
例えば、特許文献１では、目的地までのルート案内を現在のオペレータの位置情報に基づいて行うナビゲーションシステムにおいて、指定された場所と対応する施設に関する情報であるガイド情報を表示する技術が開示されている。
【先行技術文献】
【特許文献】
【０００４】
【特許文献１】特開２００９−１４５２３４号公報
【発明の概要】
【発明が解決しようとする課題】
【０００５】
ところで、対象物の位置情報を用いる情報処理システムとして、対象物の位置を含む状態が通常状態であるか否かを監視するための見守りシステムがある。具体的には、見守りシステムでは、対象物の位置が地理的な領域である基準領域内であるか否かが判定される。このような見守りシステムを利用することによって、例えば、被保護者等の対象物が自宅周辺や学校周辺等の通常時に位置することの多い基準領域内から基準領域外へ移動した旨を保護者等のユーザへ通知することができる。ところで、見守りシステムでは、基準領域に関する設定を保護者等のユーザが行う必要が生じる場合がある。それにより、見守りシステムについての設定作業における人的負担が増大する場合がある。【０００６】
そこで、本開示では、見守りシステムについての設定作業における人的負担を軽減することが可能な、新規かつ改良された情報処理装置、情報処理方法及びプログラムを提案する。
【課題を解決するための手段】
【０００７】
本開示によれば、対象物の位置が地理的な領域である基準領域内であるか否かを判定する判定部と、前記基準領域の候補である基準領域候補を抽出する抽出部と、抽出された前記基準領域候補に関する情報を基準条件と対応させて出力する出力部と、を備える、情報処理装置が提供される。【０００８】
また、本開示によれば、対象物の位置が地理的な領域である基準領域内であるか否かを判定することと、前記基準領域の候補である基準領域候補を抽出することと、抽出された前記基準領域候補に関する情報を基準条件と対応させて情報処理装置によって出力することと、を含む、情報処理方法が提供される。【０００９】
また、本開示によれば、コンピュータを、対象物の位置が地理的な領域である基準領域内であるか否かを判定する判定部と、前記基準領域の候補である基準領域候補を抽出する抽出部と、抽出された前記基準領域候補に関する情報を基準条件と対応させて出力する出力部と、として機能させるためのプログラムが提供される。
【発明の効果】
【００１０】
以上説明したように本開示によれば、見守りシステムについての設定作業における人的負担を軽減することが可能である。【００１１】
なお、上記の効果は必ずしも限定的なものではなく、上記の効果とともに、又は上記の効果に代えて、本明細書に示されたいずれかの効果又は本明細書から把握され得る他の効果が奏されてもよい。
【図面の簡単な説明】
【００１２】
【図１】本開示の実施形態に係る見守りシステムの概略構成の一例を示す模式図である。
【図２】同実施形態に係るユーザ端末により表示されるステータス画面の一例を示す説明図である。
【図３】同実施形態に係るユーザ端末により表示されるマップ画面の一例を示す説明図である。
【図４】同実施形態に係るサーバ装置の機能構成の一例を示すブロック図である。
【図５】同実施形態に係る対象端末が行う検出処理の流れの一例を示すフローチャートである。
【図６】同実施形態に係るサーバ装置が行う判定処理の流れの一例を示すフローチャートである。
【図７】同実施形態に係るサーバ装置において設定されている基準領域及び基準条件の一例を示す説明図である。
【図８】同実施形態に係るユーザ端末が行う判定結果の通知処理の流れの一例を示すフローチャートである。
【図９】同実施形態に係るサーバ装置が行う抽出処理の流れの一例を示すフローチャートである。
【図１０】同実施形態に係るサーバ装置が行う抽出結果の送信処理の流れの一例を示すフローチャートである。
【図１１】同実施形態に係るユーザ端末が行う抽出結果の通知処理の流れの一例を示すフローチャートである。
【図１２】同実施形態に係るサーバ装置が行う設定処理の流れの一例を示すフローチャートである。
【図１３】同実施形態に係るユーザ端末により表示される設定画面の第１の例を示す説明図である。
【図１４】同実施形態に係るユーザ端末により表示される設定画面の第２の例を示す説明図である。
【図１５】同実施形態に係るユーザ端末により表示される設定画面の第３の例を示す説明図である。
【図１６】同実施形態に係るユーザ端末により判定結果の通知の際に表示されるホーム画面の一例を示す説明図である。
【図１７】同実施形態に係るユーザ端末により判定結果の通知の際に表示されるマップ画面の一例を示す説明図である。
【図１８】同実施形態に係るユーザ端末により表示される判定結果の通知設定の変更案の一例を示す説明図である。
【図１９】同実施形態に係るユーザ端末等により表示されるメニューの一例を示す説明図である。
【図２０】同実施形態に係るユーザ端末等により表示される履歴画面の一例を示す説明図である。
【図２１】同実施形態に係るユーザ端末等によりイベントの提示の際に表示されるマップ画面の一例を示す説明図である。
【図２２】同実施形態に係るユーザ端末等により表示されるイベントの通知設定の一例を示す説明図である。
【図２３】同実施形態に係るユーザ端末等により表示される通知設定の一覧画面の一例を示す説明図である。
【図２４】同実施形態に係るユーザ端末等により表示されるイベントの通知設定についての設定画面の一例を示す説明図である。
【図２５】応用例に係る見守りシステムの概略構成の一例を示す模式図である。
【図２６】応用例に係るエージェント装置により判定結果の通知の際に表示されるマップ画面の一例を示す説明図である。
【図２７】ユーザ端末により判定結果の通知の際に表示されるマップ画面の一例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．見守りシステムの構成
２．見守りシステムの動作
２−１．検出処理
２−２．判定処理
２−３．判定結果の通知処理
２−４．抽出処理
２−５．抽出結果の送信処理
２−６．抽出結果の通知処理
２−７．設定処理
２−８．各種画面の表示例
２−８−１．設定画面の表示例
２−８−２．判定結果の通知に関する画面の表示例
２−８−３．履歴画面の表示例
２−８−４．イベントに関する画面の表示例
３．見守りシステムの効果
４．応用例
５．まとめ
【００１５】
＜１．見守りシステムの構成＞
まず、図１〜図４を参照して、本開示の実施形態に係る見守りシステム１の構成について説明する。
【００１６】
図１は、本実施形態に係る見守りシステム１の概略構成の一例を示す模式図である。図２は、本実施形態に係るユーザ端末２０により表示されるステータス画面の一例を示す説明図である。図３は、本実施形態に係るユーザ端末２０により表示されるマップ画面の一例を示す説明図である。図４は、本実施形態に係るサーバ装置３０の機能構成の一例を示すブロック図である。
【００１７】
見守りシステム１は、例えば、図１に示したように、対象端末１０と、ユーザ端末２０と、サーバ装置３０とを備える情報処理システムである。対象端末１０、ユーザ端末２０及びサーバ装置３０は、有線又は無線の情報ネットワークＮ１０を介して互いに通信する。なお、見守りシステム１における対象端末１０及びユーザ端末２０の数は、図面に示した例に限定されず、例えば、複数であってもよい。以下では、理解を容易にするために、見守りシステム１における対象端末１０及びユーザ端末２０の数が１つである例について主に説明する。
【００１８】
対象端末１０は、見守りシステム１における状態の監視の対象である被保護者により携帯される装置の一例である。被保護者は、本開示に係る対象物の一例に相当する。対象端末１０は、少なくとも被保護者の位置情報を検出し、検出結果を送信する。また、対象端末１０は、被保護者の位置情報と異なる他の情報を検出し、検出結果を送信し得る。
【００１９】
対象端末１０は、例えば、スマートフォン又はタブレット端末等の情報処理端末であってもよい。なお、被保護者により携帯される装置は、被保護者の位置情報を含む各種情報を検出し、送信する機能を有していればよく、上記の対象端末１０のような情報処理端末に限定されない。例えば、被保護者により携帯される装置として、後述される被保護者の位置情報を含む各種情報を検出可能なセンサそのものが用いられてもよい。
【００２０】
ユーザ端末２０は、被保護者の状態を監視する保護者により利用される装置の一例である。保護者は、本開示に係るユーザの一例に相当する。ユーザ端末２０は、サーバ装置３０から送信される情報を保護者へ通知する。例えば、ユーザ端末２０は、情報を視覚的に表示することによって、保護者への通知を行う。また、ユーザ端末２０は、保護者からの入力される情報である入力情報を受け付け、サーバ装置３０へ送信する。なお、ユーザ端末２０は、保護者の位置情報を検出し、検出結果を送信してもよい。また、ユーザ端末２０は、対象端末１０と同様に、保護者の位置情報と異なる他の様々な情報を検出し、検出結果を送信してもよい。
【００２１】
ユーザ端末２０は、例えば、パーソナルコンピュータ、スマートフォン又はタブレット端末等の情報処理端末であってもよい。なお、ユーザ端末２０は、保護者への通知、入力情報の受け付け及び入力情報の送信を行う機能を有していればよく、上記の情報処理端末に限定されない。
【００２２】
ユーザ端末２０は、保護者による入力操作に応じて図２に示されるステータス画面Ｄ１１又は図３に示されるマップ画面Ｄ２１を表示し得る。
【００２３】
ステータス画面Ｄ１１には、例えば、保護者の属する家族の各メンバーの現在位置が例えば文字等によって表示される表示領域１１２ａ，１１２ｂ，１１２ｃ，１１２ｄが示されている。表示領域１１２ａ，１１２ｄは、ユーザ端末２０をそれぞれ利用する保護者に相当するメンバーの現在位置が表示される領域である。表示領域１１２ｂ，１１２ｃは、対象端末１０をそれぞれ利用する被保護者に相当するメンバーの現在位置が表示される領域である。ユーザ端末２０は、対象端末１０から送信される被保護者の位置情報及び他のユーザ端末２０から送信される保護者の位置情報を受信し得る。それにより、ユーザ端末２０は、各表示領域に表示される各メンバーの現在位置を更新し得る。
【００２４】
また、マップ画面Ｄ２１には、例えば、家族のメンバーの位置を示すアイコン６０１が地図に重畳されて表示される表示領域１２２が示されている。また、表示領域１２２の下方には、アイコン６０１と対応するメンバーの現在位置が例えば文字等によって表示される表示領域１２３が示されている。
【００２５】
なお、ステータス画面Ｄ１１及びマップ画面Ｄ１２の上部には、現在表示されている画面がステータス画面Ｄ１１であることを示すアイコン３０１及び現在表示されている画面がマップ画面Ｄ１２であることを示すアイコン３０２が表示される表示領域１１１，１２１がそれぞれ示されている。下線等により強調されているアイコンと対応する画面が現在表示されている画面に該当する。また、例えば、保護者の属する家族のメンバーは予め登録されており、各メンバーは、自身が利用する端末を用いてステータス画面Ｄ４０やマップ画面Ｄ５０を参照することで自身を含む家族のメンバーの位置を把握することができるようになっている。
【００２６】
保護者は、ステータス画面Ｄ１１やマップ画面Ｄ１２を参照することで被保護者の位置を把握することができるが、被保護者の位置を常時監視することは困難である。ここで、後述されるように、サーバ装置３０から被保護者の位置が地理的な領域である基準領域内であるか否かの判定結果がユーザ端末２０へ送信されることによって、保護者は、被保護者の位置が通常状態であるか否かを把握することができる。
【００２７】
サーバ装置３０は、本開示に係る情報処理装置の一例に相当する。サーバ装置３０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶する記憶素子であるＲＯＭ（Ｒｅａｄ  Ｏｎｌｙ  Ｍｅｍｏｒｙ）及びＣＰＵの実行において適宜変化するパラメータ等を一時記憶する記憶素子であるＲＡＭ（Ｒａｎｄｏｍ  Ａｃｃｅｓｓ  Ｍｅｍｏｒｙ）等を含んで構成される。
【００２８】
サーバ装置３０は、例えば、図４に示したように、通信部３１と、判定部３２と、抽出部３３と、設定部３４と、記憶部３５とを備える。
【００２９】
通信部３１は、情報ネットワークＮ１０を介して外部の装置と通信する。通信部３１は、本開示に係る出力部の一例に相当する。例えば、通信部３１は、判定部３２による判定結果をユーザ端末２０へ送信する。また、例えば、通信部３１は、抽出部３３による抽出結果をユーザ端末２０へ送信する。
【００３０】
判定部３２は、被保護者の位置が基準領域内であるか否かについての判定等の判定処理を実行する。
【００３１】
抽出部３３は、基準領域の候補である基準領域候補の抽出等の抽出処理を実行する。
【００３２】
設定部３４は、基準領域の設定等の見守りシステム１における設定処理を実行する。
【００３３】
記憶部３５は、サーバ装置３０が行う各種処理のために参照されるデータを記憶する。例えば、記憶部３５は、通信部３１により受信された情報を記憶する。また、例えば、記憶部３５は、判定部３２による判定結果を記憶する。また、例えば、記憶部３５は、抽出部３３による抽出結果を記憶する。また、例えば、記憶部３５は、設定部３４により設定された情報を記憶する。
【００３４】
＜２．見守りシステムの動作＞
続いて、図５〜図１５を参照して、本実施形態に係る見守りシステム１の動作について説明する。
【００３５】
（２−１．検出処理）
図５は、実施形態に係る対象端末１０が行う検出処理の流れの一例を示すフローチャートである。図５に示される処理フローは、例えば、常時繰り返される。
【００３６】
図５に示される処理フローが開始されると、まず、ステップＳ１０１において、対象端末１０は、検出条件が満たされるか否かを判定する。検出条件が満たされると判定された場合（ステップＳ１０１／ＹＥＳ）、ステップＳ１０３へ進む。一方、検出条件が満たされないと判定された場合（ステップＳ１０１／ＮＯ）、図５に示される処理フローは終了する。
【００３７】
検出条件は、検出の対象となる情報に応じて異なり得る。例えば、検出条件は、あらかじめ設定された設定時間（例えば、１分）が経過したことであってもよい。また、例えば、検出条件は、対象端末１０において特定のアプリケーションが起動されたことであってもよい。検出条件は、省電力等の観点に基づいて適宜設定され得る。
【００３８】
ステップＳ１０３において、対象端末１０は、被保護者の位置情報を含む各種情報の検出を実行する。
【００３９】
対象端末１０は、具体的には、１又は複数のセンサを備え、センサによって取得される情報そのものを検出結果として検出してもよい。また、対象端末１０は、センサによって取得される情報に対して追加的な演算処理を行うことによって得られる情報を検出結果として検出してもよい。また、対象端末１０は、複数のセンサによって取得される情報に基づいて検出結果を検出してもよい。なお、対象端末１０は、各種検出結果を検出時刻と紐付けて検出し得る。
【００４０】
対象端末１０は、例えば、ＧＮＳＳ（Ｇｌｏｂａｌ  Ｎａｖｉｇａｔｉｏｎ  Ｓａｔｅｌｌｉｔｅ  Ｓｙｓｔｅｍ）から送信される電波を受信するセンサを用いて、被保護者の位置情報を検出し得る。なお、対象端末１０は、Ｗｉ−Ｆｉ（登録商標）やＢｌｕｅｔｏｏｔｈ（登録商標）を用いた通信における固有ＩＤ又は通信可能な基地局の固有ＩＤを取得するセンサを用いて、被保護者の位置情報を検出してもよい。
【００４１】
対象端末１０は、各種センサを用いて、環境に関する情報を検出し得る。例えば、対象端末１０は、天候、気温、湿度、気圧又は照度を示す情報を取得するセンサにより得られる情報を環境に関する情報として検出し得る。
【００４２】
対象端末１０は、各種センサを用いて、被保護者の行動に関する情報を検出し得る。具体的には、対象端末１０は、地磁気センサ、加速度センサ又はジャイロセンサや、赤外線、音又は画像を取得するセンサを用いて、被保護者の行動に関する情報を検出し得る。なお、対象端末１０は、画像を取得するセンサにより取得される情報に基づいて、得られる画像に映る物体を認識し得る。
【００４３】
例えば、対象端末１０は、加速度センサ、ジャイロセンサ及び気圧を取得するセンサにより得られる情報に基づいて、被保護者の移動方法を示す情報を被保護者の行動に関する情報として検出し得る。
【００４４】
また、例えば、対象端末１０は、音を取得するセンサにより得られる情報及び被保護者の位置情報に基づいて、被保護者の同伴者を示す情報を被保護者の行動に関する情報として検出し得る。
【００４５】
また、例えば、対象端末１０は、地磁気センサ、加速度センサ又はジャイロセンサを用いて、被保護者の動きや姿勢に関する情報を検出し得る。それにより、対象端末１０は、被保護者の動きや姿勢に関する情報に基づいて、座る又は立つ等の被保護者の動作を示す情報を被保護者の行動に関する情報として検出し得る。
【００４６】
また、例えば、対象端末１０は、被保護者の位置情報、得られる画像に映る物体の認識結果及び被保護者の動作を示す情報に基づいて、被保護者が食事をしているか否かを示す情報や被保護者が家事をしているか否かを示す情報を被保護者の行動に関する情報として検出し得る。
【００４７】
また、例えば、対象端末１０は、被保護者の位置情報、音を取得するセンサにより得られる情報及び被保護者の同伴者を示す情報に基づいて、被保護者が飲み会をしているか否かを示す情報を被保護者の行動に関する情報として検出し得る。
【００４８】
また、例えば、対象端末１０は、被保護者の位置情報の履歴、被保護者の同伴者を示す情報及び被保護者の移動方法を示す情報に基づいて、被保護者が散策をしているか否かを示す情報を被保護者の行動に関する情報として検出し得る。
【００４９】
ここで、対象端末１０は、対象端末１０としてスマートフォン又はタブレット端末等の情報処理端末が用いられる場合、対象端末１０についてのアプリケーションの使用状態、スクリーンのオンオフの切り替え操作、スクリーン上でのタッチ操作、ボタンの操作、充電状態又はイヤフォンの接続状態に関する情報等を対象端末１０の状態に関する情報として検出し得る。
【００５０】
例えば、対象端末１０は、アプリケーションの使用状態及びスクリーンのオンオフの切り替え操作に関する情報と被保護者の位置情報とに基づいて、被保護者が仕事をしているか否かを示す情報を被保護者の行動に関する情報として検出し得る。
【００５１】
次に、ステップＳ１０５において、対象端末１０は、検出結果をサーバ装置３０へ送信する。対象端末１０から送信された検出結果は、サーバ装置３０の記憶部３５によって記憶される。
【００５２】
次に、図５に示される処理フローは終了する。
【００５３】
（２−２．判定処理）
図６は、本実施形態に係るサーバ装置３０が行う判定処理の流れの一例を示すフローチャートである。図６に示される処理フローは、例えば、常時繰り返される。図７は、本実施形態に係るサーバ装置３０において設定されている基準領域及び基準条件の一例を示す説明図である。
【００５４】
図６に示される処理フローが開始されると、まず、ステップＳ３１１において、サーバ装置３０の判定部３２は、被保護者の位置が基準領域内であるか否かを判定する。被保護者の位置が基準領域内であると判定された場合（ステップＳ３１１／ＹＥＳ）、ステップＳ３１３へ進む。一方、被保護者の位置が基準領域内でないと判定された場合（ステップＳ３１１／ＮＯ）、ステップＳ３１５へ進む。
【００５５】
サーバ装置３０において、基準領域は基準条件と対応されて設定されている。基準領域は、具体的には、被保護者の位置する頻度が比較的高いと予想される地理的な領域（換言すると、被保護者の位置が通常状態であるか否かを判定し得る領域）である。基準条件は、具体的には、被保護者が基準領域内に位置する場合に発生する頻度が比較的高いと予想される事象を規定する条件である。
【００５６】
基準条件は、例えば、時間条件と、環境条件と、行動条件とを含む。時間条件は、時間に関する情報を規定する条件である。環境条件は、環境に関する情報を規定する条件である。行動条件は、被保護者の行動に関する情報を規定する条件である。サーバ装置３０において、例えば、図７に示される基準領域及び基準条件が設定されている。図７では、各列について、基準領域と基準条件とが互いに紐付けられている。サーバ装置３０において設定されている基準領域及び基準条件を示す情報は、記憶部３５に記憶され得る。
【００５７】
具体的には、図７に示される例において、基準領域「自宅」は、被保護者の自宅の代表地点から基準半径（例えば、１２０ｍ）以内の領域に該当する。基準領域「学校」は、被保護者の学校の代表地点から基準半径以内の領域に該当する。基準領域「友達の家」は、被保護者の友達の家の代表地点から基準半径以内の領域に該当する。このように、基準領域は、例えば、特定の代表地点から基準半径以内の領域であってもよい。なお、各基準領域の間で基準半径は互いに異なり得る。
【００５８】
また、基準領域「自宅〜学校」は、被保護者の自宅の代表地点から学校の代表地点までの基準幅（例えば、２００ｍ）を有する経路内の領域に該当する。基準領域「自宅〜友達の家  ルート１」は、被保護者の自宅の代表地点から友達の家の代表地点までの基準幅を有する経路内の領域に該当する。基準領域「自宅〜友達の家  ルート２」は、被保護者の自宅の代表地点から友達の家の代表地点までの基準幅を有する経路内の領域であって基準領域「自宅〜友達の家  ルート１」と異なる領域に該当する。このように、基準領域は、例えば、特定の代表地点間の基準幅を有する経路内の領域であってもよい。なお、各基準領域の間で基準幅は互いに異なり得る。
【００５９】
時間条件は、具体的には、時間に関する情報が基準領域と対応することである。時間に関する情報は、例えば、曜日又は時間帯を示す情報を含む。また、環境条件は、環境に関する情報が基準領域と対応することである。環境に関する情報は、例えば、天候、気温、湿度、気圧又は照度を示す情報を含む。また、行動条件は、被保護者の行動に関する情報が基準領域と対応することである。被保護者の行動に関する情報は、例えば、被保護者の移動方法、同伴者又は行動内容を示す情報を含む。被保護者の行動内容は、座る又は立つ等の比較的短時間における行動の内容の他、食事、飲み会、散策又は仕事等の比較的長時間に亘る行動の内容を含み得る。
【００６０】
なお、上述した時間に関する情報、環境に関する情報及び被保護者の行動に関する情報の例はあくまでも一例であり、各種情報は、他の情報を含んでもよい。その場合、対象端末１０には、例えば、他の情報を検出するためのセンサが適宜設けられ得る。
【００６１】
具体的には、図７に示される例において、基準領域「学校」と対応する基準条件として、曜日が平日である旨の時間条件が設定されている。
【００６２】
また、基準領域「自宅〜学校」と対応する基準条件として、曜日が平日である旨の時間条件と、移動方法が電車である旨の行動条件とが紐付けられて設定されている。
【００６３】
また、基準領域「友達の家」と対応する基準条件として、曜日が土曜日又は日曜日である旨の時間条件が設定されている。
【００６４】
また、基準領域「自宅〜友達の家  ルート１」と対応する基準条件として、曜日が土曜日又は日曜日である旨の時間条件と、天候が晴れである旨の環境条件と、移動方法が徒歩である旨の行動条件とが紐付けられて設定されている。
【００６５】
また、基準領域「自宅〜友達の家  ルート２」と対応する基準条件として、曜日が土曜日又は日曜日である旨の時間条件と、天候が雨である旨の環境条件と、移動方法がバスである旨の行動条件とが紐付けられて設定されている。
【００６６】
例えば、基準領域「自宅」のように、基準条件が設定されていない基準領域があってもよい。また、例えば、同一の基準領域について、基準条件の組み合わせが複数設定されてもよい。
【００６７】
なお、図７に示される例のように、基準領域が複数設定されている場合、ステップＳ３１１において、判定部３２は、各基準領域について、被保護者の位置が基準領域内であるか否かの判定を実行する。
【００６８】
ステップＳ３１３において、判定部３２は、基準条件が満たされるか否かを判定する。
【００６９】
判定部３２は、具体的には、ステップＳ３１１において被保護者が位置すると判定された基準領域と対応する基準条件が満たされるか否かを判定する。
【００７０】
例えば、図７に示される例において、判定部３２は、被保護者の位置が基準領域「自宅〜学校」内であると判定された場合、曜日が平日である旨の時間条件と、移動方法が電車である旨の行動条件とが、それぞれ満たされるか否かを判定する。
【００７１】
サーバ装置３０は、時間を計測することにより、又は外部の装置から時間に関する情報を受信することによって時間に関する情報を取得し得る。判定部３２は、このように取得される時間に関する情報に基づいて、時間条件が満たされるか否かを判定し得る。また、判定部３２は、対象端末１０から送信される検出結果に基づいて、環境条件及び行動条件が満たされるか否かを判定し得る。
【００７２】
次に、ステップＳ３１５において、判定部３２は、判定結果を記憶部３５に記憶させる。
【００７３】
記憶部３５に記憶される判定結果は、具体的には、ステップＳ３１１における被保護者の位置が基準領域内であるか否かについての判定結果を含む。また、記憶部３５に記憶される判定結果は、ステップＳ３１３における基準条件が満たされるか否かについての判定結果を含む。
【００７４】
次に、ステップＳ３１７において、通信部３１は、判定部３２による判定結果に応じて判定結果に関する情報をユーザ端末２０へ送信する。
【００７５】
例えば、通信部３１は、被保護者の位置がいずれかの基準領域内であるか否かについての判定結果が前回の判定処理における判定結果と比較して異なる場合に、被保護者の位置がいずれかの基準領域内から基準領域外へ、又は基準領域外から基準領域内へ移動した旨の情報をユーザ端末２０へ送信する。なお、通信部３１は、被保護者の位置が基準領域外であると判定される場合に、その旨の情報をユーザ端末２０へ継続的に送信してもよい。
【００７６】
具体的には、基準領域「自宅〜学校」内を通行していた被保護者が基準領域「自宅〜学校」外のスーパーマーケット等の施設へ移動した場合、通信部３１は、被保護者が基準領域内から基準領域外へ移動した旨の情報をユーザ端末２０へ送信する。
【００７７】
ここで、通信部３１は、時間条件又は環境条件が満たされない場合、ステップＳ３１１の判定結果に関わらず、被保護者の位置が基準領域外であると判定してもよい。
【００７８】
具体的には、曜日が土曜日である場合に、基準領域「自宅」内にいた被保護者が基準領域「自宅〜学校」内へ移動した場合、通信部３１は、被保護者が基準領域内から基準領域外へ移動した旨の情報をユーザ端末２０へ送信してもよい。また、天候が雨である場合に、基準領域「自宅」内にいた被保護者が基準領域「自宅〜友達の家  ルート１」内へ移動した場合、通信部３１は、被保護者が基準領域内から基準領域外へ移動した旨の情報をユーザ端末２０へ送信してもよい。
【００７９】
また、例えば、通信部３１は、被保護者がどの基準領域内に位置するかについての判定結果が前回の判定処理における判定結果と比較して異なる場合に、被保護者がどの基準領域内からどの基準領域内へ移動した旨の情報をユーザ端末２０へ送信する。
【００８０】
具体的には、基準領域「自宅〜学校」内を通行していた被保護者が基準領域「学校」内へ移動した場合、通信部３１は、被保護者が基準領域「自宅〜学校」内から基準領域「学校」内へ移動した旨の情報をユーザ端末２０へ送信する。
【００８１】
また、例えば、通信部３１は、被保護者が位置すると判定された基準領域と対応する行動条件が満たされないと判定された場合に、その旨の情報をユーザ端末２０へ送信する。
【００８２】
具体的には、基準領域「自宅〜学校」内を通行する被保護者の移動方法が自動車である場合、通信部３１は、行動条件が満たされず被保護者の移動方法が通常と異なる旨の情報をユーザ端末２０へ送信する。
【００８３】
なお、図７に示した基準条件の例はあくまでも一例である。例えば、基準領域に紐付けられる基準条件の数は、例えば図７に示した例と比較して多くてもよい。そのような場合には、判定結果を送信するために必要な判定結果の組み合わせは適宜設定され得る。例えば、通信部３１は、基準条件のうちの特定の複数の条件が成立する場合又は特定の複数の条件が不成立である場合に、判定結果をユーザ端末２０へ送信してもよい。あるいは、通信部３１は、基準条件のうちの特定の複数の条件についての判定結果が前回の判定処理から変化した場合に、判定結果をユーザ端末２０へ送信してもよい。
【００８４】
また、通信部３１は、送信された判定部３２による判定結果に関する情報に対する保護者からの入力情報の履歴に基づいて、判定部３２による判定結果に関する情報を送信してもよい。入力情報は、保護者により入力される情報である。
【００８５】
例えば、後述されるように、ユーザ端末２０からサーバ装置３０に対して、保護者に対して通知された判定結果に関する情報の通知を今後受けることを望むことを示す肯定的な入力情報又はそのような通知を今後受けることを望まないことを示す否定的な入力情報が送信され得る。この場合、通信部３１は、ユーザ端末２０から送信される肯定的な入力情報及び否定的な入力情報の履歴に基づいて、判定部３２による判定結果に関する情報を送信し得る。例えば、保護者が自宅にいる時に肯定的な入力情報が比較的多く送信され、保護者が自宅から外出している時に否定的な入力情報が比較的多く送信される場合がある。このような場合において、通信部３１は、保護者が自宅から外出している時に、保護者が自宅にいる時と比較して、判定結果に関する情報の送信頻度を低くしてもよい。
【００８６】
次に、図６に示される処理フローは終了する。
【００８７】
（２−３．判定結果の通知処理）
図８は、本実施形態に係るユーザ端末２０が行う判定結果の通知処理の流れの一例を示すフローチャートである。図８に示される処理フローは、例えば、常時繰り返される。
【００８８】
図８に示される処理フローが開始されると、まず、ステップＳ２１１において、ユーザ端末２０は、判定結果に関する情報を受信したか否かを判定する。判定結果に関する情報を受信したと判定された場合（ステップＳ２１１／ＹＥＳ）、ステップＳ２１３へ進む。一方、判定結果に関する情報を受信していないと判定された場合（ステップＳ２１１／ＮＯ）、図８に示される処理フローは終了する。
【００８９】
ステップＳ２１３において、ユーザ端末２０は、判定結果に関する情報を保護者に対して通知する。
【００９０】
例えば、ユーザ端末２０は、受信した判定結果の内容を直接的に示す画像を表示することによって、判定結果に関する情報を保護者に対して通知する。また、ユーザ端末２０は、受信した判定結果に関する情報と対応するオブジェクトを表示することによって、判定結果に関する情報を保護者に対して通知してもよい。また、ユーザ端末２０は、受信した判定結果に関する情報と対応する音を出力することによって、判定結果に関する情報を保護者に対して通知してもよい。このように、判定結果に関する情報は、判定結果の内容を直接的に示す情報に限定されない。
【００９１】
次に、ステップＳ２１５において、ユーザ端末２０は、判定結果に関する情報に対する保護者による入力操作があったか否かを判定する。判定結果に関する情報に対する保護者による入力操作があったと判定された場合（ステップＳ２１５／ＹＥＳ）、ステップＳ２１７へ進む。一方、判定結果に関する情報に対する保護者による入力操作がなかったと判定された場合（ステップＳ２１５／ＮＯ）、図８に示される処理フローは終了する。
【００９２】
例えば、ユーザ端末２０は、通知された判定結果に関する情報の通知を今後受けることを望むか否かを選択する操作を判定結果に関する情報に対する保護者による入力操作として受け付ける。ユーザ端末２０は、通知された判定結果に関する情報の通知を今後受けることを望むことを選択する入力操作を受け付けた場合、保護者からの入力情報として肯定的な入力情報を取得する。一方、ユーザ端末２０は、通知された判定結果に関する情報の通知を今後受けることを望まないことを選択する入力操作を受け付けた場合、保護者からの入力情報として否定的な入力情報を取得する。なお、ユーザ端末２０は、このような入力操作を行わない旨を示す操作が保護者により行われた場合、このような入力操作がなかったと判定し得る。
【００９３】
ステップＳ２１７において、ユーザ端末２０は、判定結果に関する情報に対する保護者からの入力情報をサーバ装置３０へ送信する。ユーザ端末２０から送信された判定結果に関する情報に対する保護者からの入力情報は、サーバ装置３０の記憶部３５によって記憶される。
【００９４】
次に、図８に示される処理フローは終了する。
【００９５】
（２−４．抽出処理）
図９は、本実施形態に係るサーバ装置３０が行う抽出処理の流れの一例を示すフローチャートである。図９に示される処理フローは、例えば、あらかじめ設定された設定時間（例えば、２４時間）が経過するごとに繰り返される。
【００９６】
図９に示される処理フローが開始されると、まず、ステップＳ３２１において、サーバ装置３０の抽出部３３は、対象端末１０から送信される検出結果の履歴を記憶部３５から取得する。例えば、抽出部３３は、あらかじめ設定された設定期間（例えば、過去３か月の間の期間）内に検出された検出結果を記憶部３５から取得する。
【００９７】
次に、ステップＳ３２３において、抽出部３３は、基準領域の候補である基準領域候補を抽出する。
【００９８】
例えば、抽出部３３は、被保護者の位置の履歴に基づいて、基準領域候補を抽出する。
【００９９】
具体的には、抽出部３３は、取得した被保護者の位置情報の履歴に基づいて各時刻における被保護者の位置を地図上でプロットした場合に地図上においてプロット点の密度が比較的高い領域を抽出する。そして、プロット点の密度が比較的高い領域の中央の近傍の施設等の代表地点を抽出する。ここで、プロット点の密度が比較的高い領域の中央に相当する位置を代表地点として抽出してもよい。そして、抽出された代表地点から基準半径以内の領域を基準領域候補として抽出する。ここで、抽出部３３は、例えば、プロット点の密度が比較的高い領域を形成するプロット点のうち基準領域候補内に位置するプロット点の割合があらかじめ設定された設定割合（例えば、９５％）以上となるように、基準半径を決定する。
【０１００】
また、抽出部３３は、各時刻における被保護者の位置を示すプロット点の各々の間を時間順に線分（以下、プロット点間線分と称する。）で結んだ場合に地図上においてプロット点間線分の密度が比較的高い領域を抽出する。そして、プロット点間線分の密度が比較的高い領域と少なくとも大部分が一致するように代表地点間の経路を抽出する。そして、抽出された代表地点間の基準幅を有する経路内の領域を基準領域候補として抽出する。ここで、抽出部３３は、例えば、プロット点間線分の密度が比較的高い領域を形成するプロット点のうち基準領域候補内に位置するプロット点間線分の割合があらかじめ設定された設定割合（例えば、９５％）以上となるように、基準幅を決定する。
【０１０１】
本実施形態では、このように、対象端末１０によりセンサを用いて検出される被保護者の位置情報に基づいて基準領域候補が抽出される。ゆえに、例えば、地図アプリケーションにおいて登録されている施設の代表地点と比較して、抽出される基準領域候補における施設の代表地点の位置の精度を向上させることができる。また、対象端末１０によりセンサを用いて検出される被保護者の位置情報は上述した判定処理においても利用される。ゆえに、抽出される基準領域候補に基づいて基準領域が設定される場合に、抽出される基準領域候補によらずに基準領域が設定される場合と比較して、センサによる測定誤差により判定処理における精度が低下することが抑制されることによって、判定処理における精度を向上させることができる。
【０１０２】
次に、ステップＳ３２５において、抽出部３３は、抽出された基準領域候補と対応する基準条件を抽出する。
【０１０３】
例えば、抽出部３３は、被保護者の位置の履歴に基づいて、基準領域候補と対応する基準条件を抽出する。基準条件の抽出は、被保護者の位置情報の履歴に加えて、被保護者の位置情報と異なる他の情報の履歴を適宜用いることによって、実行され得る。
【０１０４】
具体的には、抽出部３３は、被保護者の位置情報の履歴及び時間に関する情報の履歴に基づいて、基準領域候補と対応する時間条件を抽出し得る。例えば、抽出部３３は、被保護者が基準領域候補内に位置する場合の曜日として頻度が比較的高い曜日を基準領域候補と対応する曜日として抽出する。
【０１０５】
また、抽出部３３は、被保護者の位置情報の履歴及び環境に関する情報の履歴に基づいて、基準領域候補と対応する環境条件を抽出し得る。例えば、抽出部３３は、被保護者が基準領域候補内に位置する場合の天候として頻度が比較的高い天候を基準領域候補と対応する天候として抽出する。
【０１０６】
また、抽出部３３は、被保護者の位置情報の履歴及び被保護者の行動に関する情報の履歴に基づいて、基準領域候補と対応する行動条件を抽出し得る。例えば、抽出部３３は、被保護者が基準領域候補に位置する場合の被保護者の移動方法として頻度が比較的高い移動方法を基準領域候補と対応する移動方法として抽出する。
【０１０７】
次に、ステップＳ３２７において、抽出部３３は、抽出結果を記憶部３５へ記憶させる。
【０１０８】
具体的には、記憶部３５には、抽出された基準領域候補が基準条件と対応されて記憶される。
【０１０９】
次に、図９に示される処理フローは終了する。
【０１１０】
（２−５．抽出結果の送信処理）
図１０は、本実施形態に係るサーバ装置３０が行う抽出結果の送信処理の流れの一例を示すフローチャートである。図１０に示される処理フローは、例えば、常時繰り返される。
【０１１１】
図１０に示される処理フローが開始されると、まず、ステップＳ３３１において、サーバ装置３０の通信部３１は、トリガ条件が満たされるか否かを判定する。トリガ条件が満たされると判定された場合（ステップＳ３３１／ＹＥＳ）、ステップＳ３３３へ進む。一方、トリガ条件が満たされないと判定された場合（ステップＳ３３１／ＮＯ）、図１０に示される処理フローは終了する。
【０１１２】
トリガ条件は、抽出結果に関する情報のユーザ端末２０への送信を許可する条件である。例えば、トリガ条件は、図９に例示した抽出処理が実行されたことであってもよい。また、トリガ条件は、ユーザ端末２０が保護者による操作に応じて設定画面の表示を開始したことであってもよい。また、トリガ条件は、ユーザ端末２０が設定画面を表示している状態において、設定される基準領域及び基準条件を決定する操作が保護者により行われたことであってもよい。
【０１１３】
ステップＳ３３３において、通信部３１は、抽出部３３により抽出された抽出結果に関する情報をユーザ端末２０へ送信する。
【０１１４】
具体的には、通信部３１は、記憶部３５に記憶されている抽出結果に関する情報を取得し、ユーザ端末２０へ送信する。上述したように、記憶部３５には、抽出された基準領域候補が基準条件と対応されて記憶される。ゆえに、通信部３１は、抽出された基準領域候補に関する情報を基準条件と対応させて出力する。
【０１１５】
次に、図１０に示される処理フローは終了する。
【０１１６】
（２−６．抽出結果の通知処理）
図１１は、本実施形態に係るユーザ端末２０が行う抽出結果の通知処理の流れの一例を示すフローチャートである。図１１に示される処理フローは、例えば、常時繰り返される。
【０１１７】
図１１に示される処理フローが開始されると、まず、ステップＳ２２１において、ユーザ端末２０は、抽出結果に関する情報を受信したか否かを判定する。抽出結果に関する情報を受信したと判定された場合（ステップＳ２２１／ＹＥＳ）、ステップＳ２２３へ進む。一方、抽出結果に関する情報を受信していないと判定された場合（ステップＳ２２１／ＮＯ）、図１１に示される処理フローは終了する。
【０１１８】
ステップＳ２２３において、ユーザ端末２０は、抽出結果に関する情報を保護者に対して通知する。
【０１１９】
例えば、ユーザ端末２０は、受信した抽出結果の内容を直接的に示す画像を表示することによって、抽出結果に関する情報を保護者に対して通知する。また、ユーザ端末２０は、受信した抽出結果に関する情報と対応するオブジェクトを表示することによって、抽出結果に関する情報を保護者に対して通知してもよい。また、ユーザ端末２０は、受信した抽出結果に関する情報と対応する音を出力することによって、抽出結果に関する情報を保護者に対して通知してもよい。このように、抽出結果に関する情報は、抽出結果の内容を直接的に示す情報に限定されない。
【０１２０】
次に、ステップＳ２２５において、ユーザ端末２０は、抽出結果に関する情報に対する保護者による入力操作が完了したか否かを判定する。抽出結果に関する情報に対する保護者による入力操作が完了したと判定された場合（ステップＳ２２５／ＹＥＳ）、ステップＳ２２７へ進む。一方、抽出結果に関する情報に対する保護者による入力操作が完了していないと判定された場合（ステップＳ２２５／ＮＯ）、ステップＳ２２５の処理が繰り返される。
【０１２１】
例えば、ユーザ端末２０は、設定される基準領域及び基準条件を決定する操作を抽出結果に関する情報に対する保護者による入力操作として受け付ける。上述したように、ステップＳ２２３において、抽出結果に関する情報が通知される。ゆえに、基準領域候補に関する情報が基準条件と対応させて通知されている状態で、又は、通知された後に、設定される基準領域及び基準条件を決定する操作が行われる。よって、保護者は、通知される基準領域候補に関する情報を参照して基準領域及び基準条件を決定する操作を行うことができる。このように、設定される基準領域及び基準条件は、抽出された基準領域候補に基づいて保護者により決定され得る。例えば、設定される基準領域及び基準条件として、基準領域候補及び基準領域候補と対応する基準条件が保護者により決定される。ユーザ端末２０は、設定される基準領域及び基準条件を決定する操作が完了したことをもって、抽出結果に関する情報に対する保護者による入力操作が完了したと判定し得る。
【０１２２】
ステップＳ２２７において、ユーザ端末２０は、抽出結果に関する情報に対する保護者による入力情報をサーバ装置３０へ送信する。抽出結果に関する情報に対する保護者による入力情報は、具体的には、設定される基準領域及び基準条件として保護者により決定された領域及び条件を示す情報である。
【０１２３】
次に、図１１に示される処理フローは終了する。
【０１２４】
（２−７．設定処理）
図１２は、本実施形態に係るサーバ装置３０が行う設定処理の流れの一例を示すフローチャートである。図１２に示される処理フローは、例えば、常時繰り返される。
【０１２５】
図１２に示される処理フローが開始されると、まず、ステップＳ３４１において、サーバ装置３０の設定部３４は、抽出結果に関する情報に対する入力情報が受信されたか否かを判定する。抽出結果に関する情報に対する入力情報が受信されたと判定された場合（ステップＳ３４１／ＹＥＳ）、ステップＳ３４３へ進む。一方、抽出結果に関する情報に対する入力情報が受信されていないと判定された場合（ステップＳ３４１／ＮＯ）、図１２に示される処理フローは終了する。
【０１２６】
ステップＳ３４３において、設定部３４は、基準領域及び基準条件を設定する。
【０１２７】
具体的には、設定部３４は、受信された抽出結果に関する情報に対する入力情報に基づいて、基準領域及び基準条件を設定する。より具体的には、設定部３４は、保護者により決定された領域及び条件を基準領域及び基準条件として設定する。上述したように、設定される基準領域及び基準条件は、抽出された基準領域候補に基づいて保護者により決定され得る。よって、設定部３４は、抽出された基準領域候補に基づいて基準領域及び基準条件を設定し得る。
【０１２８】
なお、設定部３４は、設定される基準領域及び基準条件を決定する保護者による操作によらずに、基準領域及び基準条件を設定してもよい。例えば、設定部３４は、図９に例示した抽出処理が実行された場合に、保護者による操作によらずに、抽出処理により抽出された基準領域候補を基準領域として設定してもよい。この場合、サーバ装置３０において、抽出処理により抽出された基準条件が基準領域候補と対応されて設定される。
【０１２９】
また、設定部３４は、出力された判定部３２による判定結果に関する情報に対する保護者からの入力情報の履歴に基づいて、基準領域及び基準条件を設定してもよい。
【０１３０】
例えば、設定部３４は、ユーザ端末２０から送信される肯定的な入力情報及び否定的な入力情報の履歴に基づいて、基準領域及び基準条件を設定し得る。例えば、肯定的な入力情報が比較的多く送信される場合において、設定部３４は、否定的な入力情報が比較的多く送信される場合と比較して、判定結果に関する情報の送信頻度が高くなるように、基準領域及び基準条件の設定を変更してもよい。
【０１３１】
次に、図１２に示される処理フローは終了する。
【０１３２】
（２−８．各種画面の表示例）
続いて、上記で説明した見守りシステム１のユーザ端末２０等により表示される各種画面の表示例について説明する。
【０１３３】
（２−８−１．設定画面の表示例）
まず、図１３〜図１５を参照して、ユーザ端末２０により表示される設定画面の表示例について説明する。図１３は、本実施形態に係るユーザ端末２０により表示される設定画面の第１の例を示す説明図である。図１４は、本実施形態に係るユーザ端末２０により表示される設定画面の第２の例を示す説明図である。図１５は、本実施形態に係るユーザ端末２０により表示される設定画面の第３の例を示す説明図である。
【０１３４】
なお、図１３〜図１５に示される設定画面は、具体的には、判定部３２による判定結果に関する情報がユーザ端末２０により保護者に対してどのような場合に通知されるかを規定する通知設定を調整するための画面である。保護者は、ユーザ端末２０側で通知設定を適宜調整することによって、例えば、サーバ装置３０側で設定されている基準領域又は基準条件を追加、削除又は変更することにより、判定部３２による判定結果に関する情報のユーザ端末２０による通知のタイミングを調整することができる。
【０１３５】
上述したように、例えば、ユーザ端末２０が保護者による操作に応じて設定画面の表示を開始したことをトリガとして、抽出部３３により抽出された抽出結果に関する情報がユーザ端末２０へ送信されて、ユーザ端末２０により保護者に対して通知される。その場合、例えば、ユーザ端末２０により表示される設定画面上で抽出結果に関する情報が通知され得る。図１３に示される設定画面Ｄ３１及び図１４に示される設定画面Ｄ３２は、このような場合における設定画面の例である。
【０１３６】
なお、以下では、各設定画面上で基準領域候補を示す情報が通知される例について説明するが、各設定画面上で基準領域候補と対応する基準条件を示す情報が通知されてもよい。その場合、例えば、各設定画面上に基準条件を決定する操作に用いられるウィジェットが適宜表示され得る。
【０１３７】
図１３に示されるように、設定画面Ｄ３１には、抽出された基準領域候補７０１と、基準領域候補７０１の代表地点の位置を示すアイコン６０２とが地図に重畳されて表示される表示領域１３２が示されている。抽出された基準領域候補７０１は、代表地点から基準半径１２０ｍ以内の領域に該当する。また、表示領域１３２の下方には、保護者による入力操作を受け付けるための表示領域１３３が示されている。
【０１３８】
保護者は、表示領域１３３に表示されるスライダ５０１を用いて基準領域候補７０１の基準半径を調整することができる。また、保護者は、表示領域１３３に表示されるボタン５０２を用いて基準領域を決定する操作を完了することができる。例えば、保護者は、抽出された基準領域候補７０１そのものを設定される基準領域として決定してもよい。また、保護者は、抽出された基準領域候補７０１から基準半径を調整した領域を設定される基準領域として決定してもよい。また、保護者は、抽出された基準領域候補７０１を設定される基準領域として採用せずに、設定される基準領域を決定する操作を完了してもよい。また、表示領域１３２の上方には、各種ボタンやメッセージが表示される表示領域１３１が示されている。
【０１３９】
図１４に示されるように、設定画面Ｄ３２には、抽出された基準領域候補７０２，７０３，７０４，７０５，７０６と、基準領域候補７０２，７０３の代表地点の位置を示すアイコン６０３，６０４とが地図に重畳されて表示される表示領域１３５が示されている。例えば、アイコン６０３，６０４は、それぞれ被保護者の自宅及び学校の代表地点の位置を示す。基準領域候補７０２，７０３，７０４は、代表地点から基準半径以内の領域に該当する。基準領域候補７０５は、基準領域候補７０２の代表地点から基準領域候補７０３の代表地点までの基準幅を有する経路内の領域に該当する。基準領域候補７０６は、基準領域候補７０２の代表地点から基準領域候補７０４の代表地点までの基準幅を有する経路内の領域に該当する。また、表示領域１３５の下方には、基準領域を決定する操作の内容が表示される表示領域１３６が示されている。
【０１４０】
保護者は、表示領域１３５と表示領域１３６との境界の右端側に表示されるボタン５０３を用いて基準領域を決定する操作を行うことができる。例えば、表示領域１３５に表示される地図上を指等でなぞる操作であるドラッグ操作を行うことによって、地図上の経路を指定し、ボタン５０３をタップ操作等により選択することによって指定した経路に対応する領域を設定される基準領域として決定することができる。保護者は、抽出された基準領域候補７０５，７０６をなぞるようにドラッグ操作を行うことによって、基準領域候補７０５，７０６を設定される基準領域として決定してもよい。また、保護者は、抽出された基準領域候補７０５，７０６を設定される基準領域として採用せずに、設定される基準領域を決定する操作を完了してもよい。また、表示領域１３５の上方には、各種ボタンやメッセージが表示される表示領域１３４が示されている。
【０１４１】
また、上述したように、例えば、ユーザ端末２０が設定画面を表示している状態において、設定される基準領域及び基準条件を決定する操作が保護者により行われたことをトリガとして、抽出部３３により抽出された抽出結果に関する情報がユーザ端末２０へ送信されて、ユーザ端末２０により保護者に対して通知され得る。その場合、例えば、ユーザ端末２０により表示される設定画面上で抽出結果に関する情報が通知される。図１５に示される設定画面Ｄ３３は、このような場合における設定画面の例である。
【０１４２】
図１５に示されるように、設定画面Ｄ３３の表示領域１３５には、表示領域１３５でのドラッグ操作が保護者により行われたことによって指定された経路８０１が示されている。ここで、経路８０１は、基準領域候補７０２の代表地点を始点とし基準領域候補７０５の一部と一致する。このように、例えば、基準領域候補７０５の一部が保護者による入力操作により指定された場合、表示領域１３５に基準領域候補７０５における経路８０１を除く部分が補完されるように表示される。
【０１４３】
保護者は、表示された基準領域候補７０５における経路８０１を除く部分をなぞるようにドラッグ操作を行うことによって、基準領域候補７０５を設定される基準領域として決定することができる。
【０１４４】
このように、基準領域及び基準条件を決定する操作が保護者により行われた時に、抽出部３３により抽出された抽出結果に関する情報が補完的に保護者に対して通知されてもよい。例えば、代表地点から基準半径以内の領域が基準領域候補として抽出された場合、基準領域及び基準条件を決定する操作において基準半径を除く情報が保護者により入力された時に、基準半径を示す情報が補完的に保護者に対して通知されてもよい。
【０１４５】
（２−８−２．判定結果の通知に関する画面の表示例）
次に、図１６〜図１８を参照して、ユーザ端末２０により表示される判定結果の通知に関する画面の表示例について説明する。図１６は、本実施形態に係るユーザ端末２０により判定結果の通知の際に表示されるホーム画面の一例を示す説明図である。図１７は、本実施形態に係るユーザ端末２０により判定結果の通知の際に表示されるマップ画面の一例を示す説明図である。図１８は、本実施形態に係るユーザ端末２０により表示される判定結果の通知設定の変更案の一例を示す説明図である。
【０１４６】
上述したように、例えば、被保護者の位置がいずれかの基準領域内から基準領域外へ移動（離脱）した場合に、被保護者がそのように移動した旨が判定部３２により判定され、判定結果に関する情報がユーザ端末２０へ送信される。そして、ユーザ端末２０により当該判定結果が保護者に対して通知される。その場合、例えば、ユーザ端末２０により表示されるトップ画面上で判定結果が通知され得る。図１６に示されるホーム画面Ｄ４１は、このような場合におけるホーム画面の例である。
【０１４７】
図１６に示されるように、ホーム画面Ｄ４１には、例えば、現在の日付、曜日及び時刻が表示されている。これらの情報は、例えば、判定部３２により判定された判定結果の通知が行われるか否かに関わらず、ホーム画面上に表示されている。ここで、判定部３２により判定された判定結果の通知の際に表示されるホーム画面Ｄ４１には、判定結果の内容が文字等によって表示される表示領域２０１がさらに示されている。
【０１４８】
表示領域２０１は、例えば、ホーム画面Ｄ４１の中央側に位置している。表示領域２０１内には、当該表示領域２０１により示される判定結果に関する情報に対して比較的高い関心を持つ旨を示す情報を入力するためのアイコン３０３が表示されている。保護者は、アイコン３０３をタップ操作等により選択することによって、表示領域２０１により示される判定結果に関する情報に対して比較的高い関心を持つ旨を示す情報を入力することができる。このようにアイコン３０３を用いて入力された情報は、後述するイベントの抽出において利用される。なお、アイコン３０３は、例えば、タップ操作等により選択されることによって、点灯された状態になる。
【０１４９】
ここで、例えば、ホーム画面Ｄ４１の表示領域２０１がタップ操作等により選択された場合に、ユーザ端末２０により表示される画面は、判定結果を表示するマップ画面に遷移する。図１７に示されるマップ画面Ｄ２２は、このような場合におけるマップ画面の一例である。
【０１５０】
図１７に示されるように、マップ画面Ｄ２２の表示領域１２２には、設定されている基準領域９０１，９０２，９０３と、基準領域９０１，９０２の代表地点の位置を示すアイコン６０５，６０６と、被保護者の移動経路８０２とが地図に重畳されて表示されている。例えば、アイコン６０５，６０６は、それぞれ被保護者の自宅及び学校の代表地点の位置を示す。基準領域９０１，９０２は、代表地点から基準半径以内の領域に該当する。基準領域９０３は、基準領域９０１の代表地点から基準領域９０２の代表地点までの基準幅を有する経路内の領域に該当する。
【０１５１】
マップ画面Ｄ２２の表示領域１２２には、判定結果の内容が文字等によって表示される表示領域２０２がさらに示されている。例えば、被保護者が自宅から学校への経路内の領域に相当する基準領域９０３から離脱した場合、図１７に示されるように、表示領域１２２において、被保護者の移動経路８０２とともに、被保護者が基準領域９０３から離脱した旨を示す表示領域２０２が被保護者の現在位置の近傍に表示される。また、表示領域２０２内には、図１６に示されるホーム画面Ｄ４１の表示領域２０１と同様に、表示領域２０２により示される判定結果に関する情報に対して比較的高い関心を持つ旨を示す情報を入力するためのアイコン３０３が表示されている。なお、表示領域２０２内のアイコン３０３は、図１６に示される表示領域２０１内のアイコン３０３と同様に、例えば、タップ操作等により選択されることによって、点灯された状態になる。
【０１５２】
また、マップ画面Ｄ２２の下部には、被保護者と連絡をとるためのボタン５０４と、表示領域２０２により示される判定結果に関する情報の通知を今後受けることを望まない旨を示す情報を入力するためのボタン５０５とが表示されている。保護者は、ボタン５０４をタップ操作等により選択することによって、例えば、被保護者とユーザ端末２０及び対象端末１０を介して通話することができる。なお、ボタン５０４を用いて実現可能な機能は、判定結果の通知の内容に応じて適宜選択され得る。例えば、ボタン５０４がタップ操作等により選択される場合に、被保護者によって携帯される対象端末１０により撮像された画像が対象端末１０からユーザ端末２０へ送信されてもよい。また、保護者は、ボタン５０５をタップ操作等により選択することによって、表示領域２０２により示される判定結果に関する情報の通知を今後受けることを望まない旨を示す否定的な情報を入力することができる。
【０１５３】
ここで、例えば、マップ画面Ｄ２２のボタン５０５がタップ操作等により選択された場合に、通知された判定結果に関連する基準領域９０３と対応する基準条件が抽出部３３により抽出され、抽出結果に関する情報がユーザ端末２０へ送信される。そして、ユーザ端末２０における通知設定の変更案が当該抽出結果に基づいてユーザ端末２０により表示される。その場合、例えば、マップ画面Ｄ２２上に、ユーザ端末２０における通知設定の変更案が表示される。図１８に示されるマップ画面Ｄ２２は、このような場合における通知設定の変更案の一例を示すものである。なお、通知設定は、上述したように、判定部３２による判定結果に関する情報がユーザ端末２０により保護者に対してどのような場合に通知されるかを規定する設定である。
【０１５４】
図１８に示されるように、通知設定の変更案が基準条件の抽出結果に基づいて表示される際におけるマップ画面Ｄ２２には、現在の通知設定の内容が文字等により表示される表示領域２０３と、新たに提示された通知設定の内容が文字等により表示される表示領域２０４とが示されている。
【０１５５】
表示領域２０３内には、当該表示領域２０３により示される現在の通知設定の内容を示すアイコン３０５，３０６，３５１が表示されている。例えば、アイコン３０５は、自宅から学校への経路を示すアイコンである。また、アイコン３０６は、基準領域から離脱することを示すアイコンである。また、アイコン３５１は、対象端末１０を携帯する被保護者を示すアイコンである。具体的には、表示領域２０３には、現在の通知設定として、対象端末１０を携帯する被保護者が自宅から学校への経路から離脱した場合に、その旨の判定結果をユーザ端末２０により保護者に対して通知することが示されている。
【０１５６】
表示領域２０４内には、表示領域２０３内に表示されているアイコンの他に、アイコン３０７がさらに表示されている。例えば、アイコン３０７は、平日を示すアイコンである。具体的には、表示領域２０４には、新たに提示された通知設定として、曜日が平日である場合に限って、被保護者が自宅から学校への経路から離脱した場合に、その旨の判定結果をユーザ端末２０により保護者に対して通知することが示されている。
【０１５７】
例えば、抽出部３３は、マップ画面Ｄ２２のボタン５０５がタップ操作等により選択された場合に、通知された判定結果に関連する基準領域９０３と対応する基準条件を、上述した図９のステップＳ３２５と同様に、被保護者の位置情報の履歴等に基づいて抽出してもよい。また、抽出部３３は、通知された判定結果に関連する基準領域９０３と対応する基準条件を、判定結果に関する情報に対する保護者からの入力情報に基づいて抽出してもよい。例えば、平日に肯定的な入力情報が比較的多く送信され、土曜日又は日曜日に否定的な入力情報が比較的多く送信される場合がある。このような場合に、抽出部３３は、通知された判定結果に関連する基準領域９０３と対応する基準条件として、曜日が平日である旨の時間条件を抽出する。それにより、図１８に示されるように、表示領域２０３に対してアイコン３０７が追加された表示領域２０４による通知設定の提示がなされる。
【０１５８】
また、マップ画面Ｄ２２の下部には、新たに提示された通知設定を採用する旨を示す情報を入力ためのボタン５０６と、新たに提示された通知設定を採用しない旨を示す情報を入力するためのボタン５０７とが表示されている。保護者は、ボタン５０６，５０７をタップ操作等により選択することによって、それぞれ通知設定の更新又は維持を選択することができる。
【０１５９】
なお、図１８に示されるマップ画面Ｄ２２の表示領域２０４内の基準領域９０３を示すアイコン３０５がタップ操作等により選択された場合、ユーザ端末２０により表示される画面は、例えば、図１５に例示される設定画面Ｄ３３のように指定した経路が地図上に重畳表示される設定画面に遷移する。保護者は、そのような設定画面上において、例えば、地図上の経路をなぞるようにドラッグ操作を行うことによって、通知設定において採用される基準領域を現在設定されている基準領域９０３から適宜変更することができる。
【０１６０】
（２−８−３．履歴画面の表示例）
次に、図１９及び図２０を参照して、ユーザ端末２０等により表示される履歴画面の表示例について説明する。図１９は、本実施形態に係るユーザ端末２０等により表示されるメニューの一例を示す説明図である。図２０は、本実施形態に係るユーザ端末２０等により表示される履歴画面の一例を示す説明図である。
【０１６１】
なお、以下で説明する履歴画面は、保護者が用いるユーザ端末２０により表示される他、被保護者によって携帯される対象端末１０により表示されてもよい。例えば、家族のグループの各メンバーが用いる端末により同様の履歴画面が表示されてもよい。また、各メンバー間で、履歴画面における情報が少なくとも部分的に異なっていてもよい。
【０１６２】
上述したように、サーバ装置３０には、対象端末１０及びユーザ端末２０により検出された情報等を含む様々な情報が記憶されている。ここで、ユーザ端末２０等は、サーバ装置３０と通信することによって、サーバ装置３０に記憶されている様々な情報の履歴をまとめた履歴情報を表示することができる。例えば、そのような履歴情報を示す履歴画面は、家族の各メンバーの入力操作に応じて表示されるメニューを利用することによって表示され得る。図１９に示される画面におけるメニュー領域２０５は、このような場合におけるメニューを示す表示領域の一例である。
【０１６３】
図１９では、図２に示されるステータス画面Ｄ１１上にメニュー領域２０５が表示されている例が示されているが、メニュー領域２０５は、他の画面上においても表示され得る。例えば、ユーザ端末２０等は、スワイプ操作が行われた場合に、各種画面を表示させるためのアイコンを含むメニューを示すメニュー領域２０５を表示する。メニュー領域２０５には、メニューとして、例えば、アイコン３０８〜３１３が表示される。アイコン３０８〜３１３のうちのいずれかがタップ操作等により選択された場合、ユーザ端末２０等により表示される画面は、選択されたアイコンと対応する画面に遷移する。
【０１６４】
例えば、アイコン３０８は、家族のメンバーの位置情報を示す画面（例えば、上述したステータス画面Ｄ１１又はマップ画面Ｄ２１等）を表示させるためのアイコンである。アイコン３０９は、通知設定に関する情報を示す画面（例えば、後述する通知設定の一覧画面Ｄ６１等）を表示させるためのアイコンである。アイコン３１０は、サーバ装置３０において設定されている基準領域のうち代表地点から基準半径以内の領域に該当する基準領域に関する情報を示す画面を表示させるためのアイコンである。アイコン３１１は、サーバ装置３０において設定されている基準領域のうち代表地点間の基準幅を有する経路内の領域に該当する基準領域に関する情報を示す画面を表示させるためのアイコンである。アイコン３１２は、サーバ装置３０に記憶されている家族のメンバーに関する様々な情報の履歴をまとめた履歴情報を示す履歴画面（例えば、図２０に示される履歴画面Ｄ５１）を表示させるためのアイコンである。アイコン３１３は、ユーザ端末２０における通知設定を含む種々の設定に関する情報を示す画面を表示させるためのアイコンである。
【０１６５】
ここで、例えば、アイコン３１２がタップ操作等により選択された場合、ユーザ端末２０等により表示される画面は、家族のメンバーに関する履歴情報を示す履歴画面に遷移する。図２０に示される履歴画面Ｄ５１は、このような場合における履歴画面の一例である。
【０１６６】
図２０に示されるように、履歴画面Ｄ５１には、例えば、家族のメンバーに関する本日の履歴情報が表示される表示領域２０６が示されている。表示領域２０６には、家族のメンバーが本日撮像した画像が表示される表示領域１５１と、家族のメンバーに関する本日の履歴情報が文字等によって表示される表示領域１５２とが示されている。例えば、表示領域１５２は、表示領域１５１の下方に配置される。なお、履歴画面Ｄ５１には、家族のメンバーに関する本日より過去の他の日付の履歴情報が表示される表示領域が配置されていてもよい。例えば、家族の各メンバーは、スワイプ操作を行うことによって、家族のメンバーに関する本日より過去の他の日付の履歴情報が表示される表示領域を閲覧することができる。
【０１６７】
表示領域１５１に表示される画像は、例えば、家族の各メンバーにより用いられる端末からサーバ装置３０に送信された画像の中から選択された画像である。例えば、表示領域１５１に表示される画像として、家族のメンバーが通常時に位置することの少ない地理的な位置（例えば、基準領域外）で撮像された画像が優先して用いられてもよい。また、例えば、家族のメンバーが通常時に位置することの多い地理的な位置（例えば、基準領域内）で撮像された画像であっても、当該基準領域と対応する基準条件が満たされない場合に撮像された画像については、表示領域１５１に表示される画像として優先して用いられてもよい。また、例えば、表示領域１５１に表示される画像として、人の顔のうち笑顔が映っている画像が優先して用いられてもよい。画像において笑顔が映っているか否かは、例えば、画像処理を利用することによって、サーバ装置３０により判定され得る。なお、表示領域１５１には、当該表示領域１５１内に表示される画像を撮像したメンバーの名称が表示されてもよい。
【０１６８】
例えば、表示領域１５２には、本日における家族の他のメンバーと一緒に歩いた歩数（図２０の例では、２３６８）及び当該歩数の一週間前の本日と同じ曜日の日との差異（図２０の例では、１２４６増加した旨）が示されている。また、表示領域１５２には、本日における家族の他のメンバーと一緒に過ごした時間（図２０の例では、１０．５時間）及び当該時間の一週間前の本日と同じ曜日の日との差異（図２０の例では、１３時間減少した旨）が示されている。
【０１６９】
なお、家族の他のメンバーと一緒に歩いた歩数又は一緒に過ごした時間は、同一の家族のメンバー間で、互いに異なり得る。ゆえに、家族の他のメンバーと一緒に過ごした時間が３時間であるメンバーの端末の履歴画面と、家族の他のメンバーと一緒に過ごした時間が２時間であるメンバーの端末の履歴画面との間で、家族の他のメンバーと一緒に過ごした時間として表示される時間は互いに異なり得る。
【０１７０】
また、表示領域１５２には、本日通知された判定部３２による判定結果の通知数（図２０の例では、４）が示されている。ここで、例えば、表示領域１５２内における判定結果の通知数が表示されている部分がタップ操作等により選択されると、図２０に示されるように、判定結果の通知数が表示されている部分の下方に表示領域１５３が表示される。表示領域１５３には、本日通知された判定部３２による判定結果の通知の各々の内容が文字等によって示されている。また、各通知について、判定結果に関する情報に対して比較的高い関心を持つ旨を示す情報を入力するためのアイコン３０３が表示されている。なお、表示領域１５３内のアイコン３０３は、図１６に示される表示領域２０１内のアイコン３０３と同様に、例えば、タップ操作等により選択されることによって、点灯された状態になる。
【０１７１】
また、表示領域１５２には、履歴情報が表示される表示領域２０６に関する情報に対して比較的高い関心を持つ旨を示す情報を入力するためのアイコン３１５が表示されている。家族の各メンバーは、本日の表示領域２０６内のアイコン３１５をタップ操作等により選択することによって、本日の表示領域２０６に関する情報に対して比較的高い関心を持つ旨を示す情報を入力することができる。このようにアイコン３１５を用いて入力された情報は、家族の各メンバーが気に入った日の表示領域２０６を検索する際において利用される。また、アイコン３１５を用いて入力された情報は、後述するイベントの抽出においても利用され得る。なお、アイコン３１５は、例えば、タップ操作等により選択されることによって、点灯された状態になる。
【０１７２】
また、表示領域１５２には、履歴情報が表示される表示領域２０６に関する情報をネットワークサービス（例えばソーシャルネットワークサービス）上で他のユーザと共有するためのアイコン３１６が表示されている。家族の各メンバーは、本日の表示領域２０６内のアイコン３１６をタップ操作等により選択することによって、本日の表示領域２０６に関する情報をネットワークサービス上で他のユーザと共有することができる。
【０１７３】
また、例えば、家族のメンバーに関する本日の履歴情報が表示される表示領域２０６の上部には、後述するイベントが抽出部３３により抽出された旨を示すアイコン３１４が表示されている。家族の各メンバーは、例えば、アイコン３１４をタップ操作等により選択することによって、履歴画面Ｄ５１を後述するイベントに関する画面へ遷移させることができる。
【０１７４】
（２−８−４．イベントに関する画面の表示例）
次に、図２１〜図２４を参照して、ユーザ端末２０等により表示されるイベントに関する画面の表示例について説明する。図２１は、本実施形態に係るユーザ端末２０等によりイベントの提示の際に表示されるマップ画面の一例を示す説明図である。図２２は、本実施形態に係るユーザ端末２０等により表示されるイベントの通知設定の一例を示す説明図である。図２３は、本実施形態に係るユーザ端末２０等により表示される通知設定の一覧画面の一例を示す説明図である。図２４は、本実施形態に係るユーザ端末２０等により表示されるイベントの通知設定についての設定画面の一例を示す説明図である。
【０１７５】
なお、以下で説明するイベントに関する画面は、保護者が用いるユーザ端末２０により表示される他、被保護者によって携帯される対象端末１０により表示されてもよい。例えば、家族のグループの各メンバーが用いる端末により、イベントに関する画面として、同様の画面が表示されてもよい。また、各メンバー間で、イベントに関する画面における情報は、少なくとも部分的に異なっていてもよい。
【０１７６】
上述したように、見守りシステム１では、基準領域として、被保護者の位置する頻度が比較的高いと予想される領域を適用し、基準条件として、被保護者が基準領域内に位置する場合に発生する頻度が比較的高いと予想される事象を規定する条件を適用することによって、被保護者の状態が通常状態であるか否かが判定（監視）され、判定結果が保護者へ通知される。それにより、例えば、被保護者の状態が通常状態から通常と異なる状態になった場合（例えば、被保護者が通常の通学経路から離脱した場合）に、その旨を保護者へ通知することができる。
【０１７７】
ここで、見守りシステム１では、家族のメンバーの状態が通常と異なる状態のうちメンバーにより比較的高い関心が持たれている状態になった場合（つまり、後述するイベントが発生した場合）に、その旨が各メンバーへ通知されるようにすることができる。以下では、家族のメンバーの通常と異なる状態のうちメンバーにより比較的高い関心が持たれている状態をイベントと呼ぶ。例えば、家族のメンバーのうちの特定の３人のメンバーが買い物のために自宅と隣駅の商業施設との間を比較的高い頻度で往復する場合において、あるときに上記の３人のメンバーが自宅と隣駅の商業施設との間の経路から外れて家具屋及び公園に初めて訪れたとする。さらに、上記の３人のメンバーが家具屋又は公園に訪れたことに対して家族のメンバーにより比較的高い関心が持たれているとする。この場合において、上記の３人のメンバーが家具屋又は公園に訪れることがイベントに該当し得る。
【０１７８】
例えば、サーバ装置３０は、このようなイベントを、図１６に例示したホーム画面Ｄ４１、図１７に例示したマップ画面Ｄ２２、又は図２０に例示した履歴画面Ｄ５１のアイコン３０３，３１５を用いた家族のメンバーによる入力操作の結果に基づいて、抽出する。なお、サーバ装置３０は、これらの各アイコンを用いた家族のメンバーによる入力操作の結果を利用して各メンバーの好みを学習する機械学習等の手法を用いて、イベントを抽出してもよい。そして、サーバ装置３０は、基準領域として、イベントの発生する領域を適用し、基準条件として、家族のメンバーがイベントの発生する基準領域内に位置する場合においてイベントの発生にさらに必要となる条件を適用して、家族のメンバーの位置が基準領域内であるか否か及び基準条件が満たされるか否かを判定する。それにより、イベントの発生の有無を判定することができるので、イベントが発生した場合に、その旨を各メンバーへ通知することができる。
【０１７９】
例えば、上記の３人のメンバーが初めて訪れた公園に次回１人で訪れた際に通知が届くことに対しては煩わしく感じる場合であっても、次回３人で当該公園に訪れた際には知人にビデオ電話をかけるきっかけがほしいと感じる場合がある。そのような場合に、上記の３人のメンバーが当該公園に次回訪れた際に、通知がなされることによって、知人にビデオ電話をかけるきっかけを家族のメンバーに与えることができる。
【０１８０】
サーバ装置３０は、イベントを抽出する場合において、イベントの発生の有無の判定における基準領域の候補である基準領域候補を抽出する。また、サーバ装置３０は、基準領域候補と対応する基準条件を抽出し、当該基準領域候補に関する情報を当該基準条件と対応させて出力してもよい。例えば、後述するように、サーバ装置３０は、抽出したイベントの通知設定を示す情報をユーザ端末２０等に送信して表示させる。
【０１８１】
ここで、サーバ装置３０によりイベントが抽出された場合に、イベントが抽出された旨を示す情報がサーバ装置３０からユーザ端末２０等へ送信される。その場合、例えば、図２０に例示した履歴画面Ｄ５１の表示領域２０６内にアイコン３１４が表示される。そして、例えば、アイコン３１４がタップ操作等により選択された場合に、ユーザ端末２０により表示される画面はマップ画面に遷移し、当該マップ画面上で抽出されたイベントに関する情報が表示される。図２１に示されるマップ画面Ｄ２４は、このような場合におけるマップ画面の一例である。具体的には、図２１に示されるマップ画面Ｄ２４は、上記のように、特定の３人のメンバーが家具屋又は公園に訪れることがイベントとして抽出された場合において当該イベントに関する情報が表示される画面の例である。
【０１８２】
図２１に示されるように、マップ画面Ｄ２４の表示領域１２２には、各代表地点の位置を示すアイコン６０５，６０６と、各イベントの発生位置を示すアイコン３１８，３１９と、イベントと対応する家族のメンバーの移動経路８０３とが地図に重畳されて表示されている。例えば、移動経路８０３は、上記の３人のメンバーの移動経路であり、アイコン６０５により位置が示される自宅、アイコン３１９により示される家具屋及びアイコン３１８により示される公園を通る経路である。
【０１８３】
例えば、マップ画面Ｄ２４の表示領域１２２より下方の表示領域１２３には、イベントの発生位置である家具屋及び公園で家族のメンバーによりそれぞれ撮像された画像が表示されている。
【０１８４】
ここで、例えば、マップ画面Ｄ２４のアイコン３１８又はアイコン３１９がタップ操作等により選択された場合に、選択されたアイコンと対応するイベントの通知設定の内容がユーザ端末２０等により表示される。その場合、例えば、マップ画面Ｄ２４上に、ユーザ端末２０等におけるイベントの通知設定の内容が表示される。図２２に示されるマップ画面Ｄ２４は、このような場合におけるユーザ端末２０等におけるイベントの通知設定の表示例を示すものである。具体的には、図２２に示されるマップ画面Ｄ２４は、特定の３人のメンバーが公園に訪れることに相当するイベントと対応するアイコン３１８が選択された場合において当該イベントの通知設定が表示される画面の例である。なお、イベントの通知設定は、サーバ装置３０によるイベントの発生についての判定結果に関する情報がユーザ端末２０等により家族のメンバーに対してどのような場合に通知されるかを規定する設定である。
【０１８５】
図２２に示されるように、イベントの通知設定の内容が表示されるマップ画面Ｄ２４には、選択されたアイコン３１８と対応するイベントの通知設定の内容が文字等により表示される表示領域２０７が示されている。
【０１８６】
表示領域２０７内には、当該表示領域２０７により示されるイベントの通知設定の内容を示すアイコン３２０，３２１，３５２が表示されている。例えば、アイコン３２０は、公園を示すアイコンである。また、アイコン３２１は、基準領域に入ることを示すアイコンである。また、アイコン３５２は、イベントと対応する家族の特定の３人のメンバーを示すアイコンである。具体的には、表示領域２０７には、抽出されたイベントの通知設定として、アイコン３５２により示される３人のメンバーがアイコン３２０により示される公園に入った場合に、その旨の判定結果をユーザ端末２０等により家族のメンバーに対して通知することが示されている。
【０１８７】
上記の例では、アイコン３２０により示される公園（つまり、図２１においてアイコン３１８により示される公園）が、イベントの発生の有無の判定における基準領域候補に対応する。この場合、具体的には、アイコン３２０により示される公園の代表地点から基準半径以内の領域が、イベントの発生の有無の判定における基準領域候補に対応する。イベントの発生の有無の判定における基準領域としては、例えば、特定の代表地点に対応する領域、特定の代表地点間の経路に対応する領域、特定のカテゴリの施設（例えば、美術館又は科学館等）の代表地点に対応する領域、又は特定のカテゴリの施設の代表地点間の経路に対応する領域等が用いられ得る。
【０１８８】
なお、上述したように、イベントの発生の有無の判定において、家族のメンバーの位置が基準領域内であるか否かの判定に加えて、基準条件としてイベントの発生にさらに必要となる条件が満たされるか否かの判定が行われてもよい。このようなイベントの発生の有無の判定における基準条件としては、例えば、上述した時間条件、環境条件又は行動条件を含む種々の条件が用いられ得る。
【０１８９】
例えば、行動条件としては、イベントと対応するメンバーに対する同伴者がだれであるか、同伴者が当該メンバーに対してどのような関係の者であるか、何人で行動をともにしているか、基準領域に過去に（あるいは、今月中に、今週中に、又は本日中に）何回訪れたか、基準領域にどの程度の時間に亘って滞在したか、どのような移動方法で移動しているか、所定時間内に何枚の撮像を行ったか、又は撮像された画像に映る被写体はどのようなものかを規定する条件が用いられ得る。
【０１９０】
また、マップ画面Ｄ２４の下部には、提示されたイベントの通知設定を採用する旨を示す情報を入力ためのボタン５０８と、提示されたイベントの通知設定を採用しない旨を示す情報を入力するためのボタン５０９とが表示されている。家族のメンバーは、ボタン５０８，５０９をタップ操作等により選択することによって、それぞれイベントの通知設定の更新又は維持を選択することができる。
【０１９１】
ここで、例えば、図２２に示されるマップ画面Ｄ２４のボタン５０８がタップ操作等により選択された場合、ユーザ端末２０等により表示される画面は、サーバ装置３０による各判定結果についてのユーザ端末２０等における通知設定の一覧を示す一覧画面に遷移する。図２３に示される一覧画面Ｄ６１は、このような場合における通知設定の一覧画面の一例である。
【０１９２】
図２３に示されるように、通知設定の一覧画面Ｄ６１には、各判定結果についての通知設定の内容が表示される表示領域２０８ａ，２０８ｂ，２０８ｃ，２０８ｄが示されている。なお、以下では、表示領域２０８ａ，２０８ｂ，２０８ｃ，２０８ｄをそれぞれ特に区別しない場合には、単に表示領域２０８と呼ぶ。また、一覧画面Ｄ６１の上部には、各種ボタンやメッセージが表示される表示領域１６１が示されている。
【０１９３】
表示領域２０８内には、各判定結果についての通知設定の内容を示すアイコンが表示されている。例えば、表示領域２０８ａには、図１８に示される表示領域２０４と同様に、曜日が平日である場合に限って、アイコン３５１により示される被保護者が自宅から学校への経路から離脱した場合に、その旨の判定結果を通知することが示されている。また、表示領域２０８ｂには、図２２に示される表示領域２０７と同様に、アイコン３５２により示される３人のメンバーが公園に入った場合に、その旨の判定結果を通知することが示されている。このように、表示領域２０８ｂに示される通知設定が、サーバ装置３０により抽出されることにより追加されたイベントの通知設定に相当する。
【０１９４】
また、表示領域２０８ｃには、アイコン３５１により示される被保護者が学校から離脱した場合に、その旨の判定結果を通知することが示されている。なお、表示領域２０８ｃ内に表示されるアイコン３２２は、学校を示すアイコンである。また、表示領域２０８ｄには、アイコン３５３により示される家族のメンバーがバスに乗ってスーパーマーケットから離脱した場合に、その旨の判定結果を通知することが示されている。なお、表示領域２０８ｄ内に表示されるアイコン３２３，３２４は、それぞれスーパーマーケット及び移動方法としてのバスを示すアイコンである。
【０１９５】
また、表示領域１６２における各表示領域２０８の近傍には、当該各表示領域２０８により示される通知設定をＯＮ又はＯＦＦに切り替えるためのアイコン５１０ａ，５１０ｂ，５１０ｃ，５１０ｄが表示されている。アイコン５１０ａ，５１０ｂ，５１０ｃ，５１０ｄをタップ操作等により選択することによって、それぞれ表示領域２０８ａ，２０８ｂ，２０８ｃ，２０８ｄと対応する通知設定がＯＮ又はＯＦＦに切り替えられる。
【０１９６】
また、一覧画面Ｄ６１には、現在ＯＮになっている通知設定によるバッテリ消費量の推定値が表示されている。例えば、図２３の４つの通知設定がＯＮとなっている例では通知設定により１日あたり約１２％増大する旨が表示されており、図２３の３つの通知設定がＯＮとなっている例では通知設定により１日あたり約８％増大する旨が表示されている。一覧画面Ｄ６１に表示されるバッテリ消費量の推定値は、例えば、各通知設定の内容を変更した場合には、それに伴い変化するようになっている。このように、一覧画面Ｄ６１にバッテリ消費量の推定値が表示されることによって、いずれの通知設定をＯＮにするかを省電力の観点から判断することができる。例えば、図２３に示されるように、表示領域２０８ｄと対応する通知設定をＯＦＦにすることによって、通知設定によるバッテリ消費量を１日あたり約４％低減することができる。
【０１９７】
通知設定によるバッテリ消費量の推定値は、具体的には、サーバ装置３０又は各メンバーの端末によって算出される。例えば、バッテリ消費量の推定値は、各通知設定により規定される通知を実現するために用いられるセンサの種類及びセンサによる検出頻度等に基づいて算出され得る。
【０１９８】
ここで、各通知設定により規定される通知を実現するために用いられるセンサの種類及びセンサによる検出頻度を適宜工夫することによって、通知設定によるバッテリ消費量を低減することができる。例えば、自身から比較的遠い位置にいるメンバーの位置については、当該メンバーよりも近い位置にいるメンバーの位置と比較して詳細に検出する必要性が低いので、位置の検出頻度を低くしてもよい。また、例えば、Ｗｉ−Ｆｉ（登録商標）を利用した位置の検出では、ＧＮＳＳを利用した位置の検出よりも消費電力が低い（例えば、数分の１程度）ので、Ｗｉ−Ｆｉ（登録商標）を利用できる状況において位置の検出にＷｉ−Ｆｉ（登録商標）を優先して利用してもよい。また、例えば、位置の検出の対象となるメンバーが電車で移動している場合、駅での乗り換えによって経路が分岐し得るものの、移動経路は線路に沿っており、移動速度も推定可能であるので、例えばメンバーが自動車で移動している場合よりも、位置の検出頻度を低くしてもよい。
【０１９９】
ここで、例えば、図２２に示されるマップ画面Ｄ２４の表示領域２０７内のアイコン３２０がタップ操作等により選択された場合、ユーザ端末２０等により表示される画面は、表示領域２０７により示されるイベントの通知設定を調整するための設定画面に遷移する。図２４に示される設定画面Ｄ７１は、このような場合におけるイベントの通知設定についての設定画面の一例である。
【０２００】
なお、以下で説明する設定画面Ｄ７１は、イベントの通知設定のうち基準領域を調整するための設定画面であるが、表示領域２０７内に基準領域と対応する基準条件を示すアイコンが表示されており、そのようなアイコンが選択された場合には、基準条件を調整するための設定画面が表示される。
【０２０１】
図２４に示されるように、設定画面Ｄ７１には、図２１においてアイコン３１８により示される公園に対応する領域である基準領域候補７０７と、基準領域候補７０７の代表地点の位置を示すアイコン６０７とが地図に重畳されて表示される表示領域１７２が示されている。抽出された基準領域候補７０７は、代表地点から基準半径１２０ｍ以内の領域に該当する。また、表示領域１７２の下方には、入力操作を受け付けるための表示領域１７３が示されている。表示領域１７３には、設定タブ３２５と、バッテリタブ３２６が設けられている。設定タブ３２５が選択されている場合、表示領域１７３には、基準領域候補７０７の基準半径を調整するためのスライダ５１１と、基準領域候補７０７の調整を完了するためのボタン５１２とが表示される。
【０２０２】
端末を操作するメンバーは、表示領域１７３に表示されるスライダ５１１を用いて基準領域候補７０７の基準半径を調整することができる。また、当該メンバーは、表示領域１７３に表示されるボタン５１２を用いて基準領域を決定する操作を完了することができる。例えば、当該メンバーは、抽出された基準領域候補７０７そのものを通知設定に設定される基準領域として決定してもよい。また、当該メンバーは、抽出された基準領域候補７０７から基準半径を調整した領域を通知設定に設定される基準領域として決定してもよい。
【０２０３】
ここで、表示領域１７３のバッテリタブ３２６が選択されている場合、図２４に示されるように、表示領域１７３内に表示される内容が、設定画面Ｄ７１に対応する通知設定によるバッテリ消費量に関する情報に切り替わる。例えば、表示領域１７３内には、現在の状態で調整を完了した場合に設定画面Ｄ７１に対応する通知設定によって発生する通知数の推定値（図２４の例では、１週間あたり１０回、１月あたり３２回）が表示される。なお、通知数の推定値は、例えば、機械学習等の手法を用いることにより、家族の各メンバーの位置の履歴に基づいて予測され得る。また、表示領域１７３内には、現在の状態で調整を完了した場合に設定画面Ｄ７１に対応する通知設定によるバッテリ消費量の推定値（図２４の例では、１日あたり約３％の増大）が表示される。
【０２０４】
バッテリタブ３２６が選択されている場合に表示領域１７３に表示されるバッテリ消費量に関する情報は、例えば、基準領域候補７０７の基準半径を変更した場合には、それに伴い変化するようになっている。ゆえに、設定画面Ｄ７１に対応する通知設定を省電力の観点から適切に調整することができる。
【０２０５】
また、表示領域１７２の上方には、各種ボタンやメッセージが表示される表示領域１７１が示されている。例えば、表示領域１７１には、図２４に示されるように、図２２における表示領域２０７と同一の内容を示す表示領域２０９が表示されてもよい。
【０２０６】
＜３．見守りシステムの効果＞
続いて、本実施形態に係る見守りシステム１の効果について説明する。
【０２０７】
本実施形態に係る見守りシステム１では、対象物の位置が地理的な領域である基準領域内であるか否かが判定される。また、基準領域の候補である基準領域候補が抽出される。また、抽出された基準領域候補に関する情報が基準条件と対応されて出力される。それにより、保護者等のユーザは、基準領域候補及び基準領域候補と対応する基準条件を参照しつつ、基準領域に関する設定を行うことができる。ゆえに、見守りシステム１についての設定作業における人的負担を軽減することが可能となる。
【０２０８】
また、本実施形態に係る見守りシステム１では、対象物の位置が基準領域内であると判定された場合、基準領域と対応する基準条件が満たされるか否かが判定され得る。それにより、対象物の位置が基準領域内であるか否かについての判定結果に加えて、基準領域と対応する基準条件が満たされるか否かについての判定結果に基づいて、対象物の状態をより適切に判定することができる。
【０２０９】
また、本実施形態に係る見守りシステム１では、基準条件は、時間に関する情報を規定する条件である時間条件を含み得る。それにより、対象物の状態を時間に関する情報に応じてより適切に判定することができる。例えば、対象物の位置が通常状態であるか否かについての判定を時間に関する情報に応じてより適切に実行することができる。
【０２１０】
また、本実施形態に係る見守りシステム１では、基準条件は、環境に関する情報を規定する条件である環境条件を含み得る。それにより、対象物の状態を環境に関する情報に応じてより適切に判定することができる。例えば、対象物の位置が通常状態であるか否かについての判定を環境に関する情報に応じてより適切に実行することができる。
【０２１１】
また、本実施形態に係る見守りシステム１では、基準条件は、対象物の行動に関する情報を規定する条件である行動条件を含み得る。それにより、対象物の状態を対象物の行動に関する情報に応じてより適切に判定することができる。例えば、対象物の行動が通常状態であるか否かについての判定を適切に実行することができる。
【０２１２】
また、本実施形態に係る見守りシステム１では、出力された判定結果に関する情報に対するユーザからの入力情報の履歴に基づいて、基準領域及び基準条件が設定され得る。それにより、判定結果に関する情報が出力されることに対するユーザの好みに基づいて、より適切に基準領域及び基準条件の設定を調整することができる。
【０２１３】
また、本実施形態に係る見守りシステム１では、出力された判定結果に関する情報に対するユーザからの入力情報の履歴に基づいて、判定結果に関する情報が出力され得る。それにより、判定結果に関する情報が出力されることに対するユーザの好みに基づいて、より適切に判定結果に関する情報の出力を調整することができる。
【０２１４】
また、本実施形態に係る見守りシステム１では、対象物の位置の履歴に基づいて基準領域候補が抽出され得る。それにより、対象物の位置する頻度が比較的高い領域を基準領域候補として適切に抽出することができる。
【０２１５】
また、本実施形態に係る見守りシステム１では、対象物の位置の履歴に基づいて基準領域候補と対応する基準条件が抽出され得る。それにより、対象物が基準領域候補内に位置する場合に発生する頻度が比較的高い事象を規定する条件を基準条件として適切に抽出することができる。
【０２１６】
＜４．応用例＞
続いて、図２５〜図２７を参照して、応用例に係る見守りシステム２について説明する。
【０２１７】
図２５は、応用例に係る見守りシステム２の概略構成の一例を示す模式図である。図２６は、応用例に係るエージェント装置４０により判定結果の通知の際に表示されるマップ画面Ｄ８１の一例を示す説明図である。図２７は、ユーザ端末２０により判定結果の通知の際に表示されるマップ画面Ｄ２３の一例を示す説明図である。
【０２１８】
見守りシステム２は、例えば、図２５に示したように、上述した見守りシステム１と比較して、エージェント装置４０をさらに備える点について異なる。エージェント装置４０は、有線又は無線の情報ネットワークＮ１０を介して対象端末１０、ユーザ端末２０及びサーバ装置３０と通信する。なお、見守りシステム２におけるエージェント装置４０の数は、図面に示した例に限定されず、例えば、複数であってもよい。以下では、理解を容易にするために、見守りシステム２におけるエージェント装置４０の数が１つである例について主に説明する。
【０２１９】
エージェント装置４０は、音声によって操作可能な装置である。具体的には、エージェント装置４０は、ユーザにより話しかけられた際に、話しかけられた内容を認識し、その内容に応じて音声を出力し、又は画面を表示することができる。このように、エージェント装置４０は、ユーザにより話しかけられた内容に応じて種々の情報をユーザに提供することが可能な装置である。なお、エージェント装置４０は、後述するように、ユーザにより話しかけられたこと以外のことをトリガとして種々の情報をユーザに提供してもよい。
【０２２０】
エージェント装置４０は、例えば、カメラ、マイクロフォン、プロジェクタ及びスピーカを有する。例えば、エージェント装置４０は、カメラによってユーザを映す画像を取得し、当該画像に画像処理を施すことによって、ユーザを認識することができる。また、エージェント装置４０は、マイクロフォンによってユーザの声を示す情報を取得し、当該情報を用いてユーザの声の内容を認識することができる。また、エージェント装置４０は、プロジェクタによって画面を壁５等に投影して表示することができる。図２５では、エージェント装置４０によって画面Ｄ８０が壁５に投影されて表示されている様子が示されている。また、エージェント装置４０は、スピーカによって音声を出力することができる。
【０２２１】
応用例では、エージェント装置４０がサーバ装置３０と通信可能となっているので、エージェント装置４０を利用することによって、上記で説明したサーバ装置３０が行う処理によって得られる種々の情報をユーザに提供することができる。例えば、上記で説明したユーザ端末２０により通知される各種情報を、エージェント装置４０による音声の出力又は画面の表示によっても、ユーザに提供することができる。以下では、このようなエージェント装置４０を利用したユーザへの情報の提供に関する処理の例を、より具体的に説明する。
【０２２２】
上述したように、例えば、被保護者の位置がいずれかの基準領域内から基準領域外へ移動（離脱）した場合に、被保護者がそのように移動した旨がサーバ装置３０の判定部３２により判定される。応用例では、判定部３２による判定結果に関する情報をサーバ装置３０からエージェント装置４０へ送信させることができる。
【０２２３】
判定結果に関する情報の送信先は、例えば、ユーザ端末２０を操作することによって設定することができる。例えば、このような送信先の設定のための画面がユーザ端末２０により表示され、当該画面上での操作によって判定結果に関する情報の送信先としてエージェント装置４０が設定される。そして、判定結果に関する情報の送信先としてエージェント装置４０が設定されている場合、判定結果に関する情報がサーバ装置３０からエージェント装置４０へ送信される。なお、判定結果に関する情報の送信先としてエージェント装置４０の他にユーザ端末２０が設定されている場合、判定結果に関する情報はサーバ装置３０からユーザ端末２０に対しても送信される。
【０２２４】
エージェント装置４０は、取得した判定結果に関する情報を、例えば、音声の出力及び画面の表示によって、ユーザに提供することができる。例えば、エージェント装置４０は、予めエージェント装置４０に登録されているユーザがエージェント装置４０の近傍まで近づいた際に、取得した判定結果に関する情報の音声での出力及び表示を行う。図２６に示されるマップ画面Ｄ８１は、このような場合において、エージェント装置４０によって音声の出力とともに表示される判定結果を示すマップ画面の一例である。
【０２２５】
なお、エージェント装置４０は、具体的には、ユーザがエージェント装置４０から設定距離以内の範囲に位置することをカメラによって認識した場合に、ユーザがエージェント装置４０の近傍まで近づいたと判定し得る。また、エージェント装置４０に複数のユーザを登録されている場合、エージェント装置４０は、エージェント装置４０の近傍まで近づいたユーザに応じて表示する画面を異ならせてもよい。また、エージェント装置４０は、エージェント装置４０の近傍まで近づいたユーザに応じて画面を表示するか否かを決定してもよい。
【０２２６】
図２６に示されるように、マップ画面Ｄ８１の中央側に位置する表示領域１８１には、図１７に示されるマップ画面Ｄ２２の表示領域１２２と同様に、設定されている基準領域９０１，９０２，９０３と、基準領域９０１，９０２の代表地点の位置を示すアイコン６０５，６０６と、被保護者の移動経路８０２とが地図に重畳されて表示されている。例えば、アイコン６０５，６０６は、それぞれ被保護者の自宅及び学校の代表地点の位置を示す。基準領域９０１，９０２は、代表地点から基準半径以内の領域に該当する。基準領域９０３は、基準領域９０１の代表地点から基準領域９０２の代表地点までの基準幅を有する経路内の領域に該当する。
【０２２７】
マップ画面Ｄ８１における表示領域１８１の上方には、判定結果の内容が文字等によって表示される表示領域２１０がさらに示されている。例えば、被保護者が自宅から学校への経路内の領域に相当する基準領域９０３から離脱した場合、図２６に示されるように、表示領域１８１の上方に、被保護者が基準領域９０３から離脱した旨を示す表示領域２１０が表示される。なお、表示領域２１０には、図２６に示されるように、被保護者が基準領域９０３から離脱した時刻が表示されていてもよい。また、マップ画面Ｄ８１における表示領域１８１の下方には、基準領域９０３から離脱した被保護者の現在地が文字等によって表示される表示領域２１１がさらに示されている。
【０２２８】
エージェント装置４０は、例えば、ユーザがエージェント装置４０の近傍まで近づいた際に、被保護者が基準領域９０３から離脱した旨を音声で出力するとともに、図２６に示されるマップ画面Ｄ８１を壁５に投影して表示する。なお、エージェント装置４０は、サーバ装置３０から取得した判定結果に関する情報が複数ある場合、例えば、取得した時刻が最新である情報を優先的にユーザに提供してもよい。
【０２２９】
さらに、エージェント装置４０は、被保護者により携帯される対象端末１０にメッセージを送信することができる旨を音声で出力してもよい。その後、例えば、エージェント装置４０は、メッセージを送信する旨をユーザにより話しかけられた場合、表示しているマップ画面Ｄ８１をメッセージの送信のための画面に切り替える。そして、ユーザは、送信するメッセージをエージェント装置４０に話しかけることによって、対象端末１０に所望のメッセージを送信することができる。なお、対象端末１０からエージェント装置４０に対してもメッセージを送信可能となっており、エージェント装置４０は、対象端末１０とエージェント装置４０との間で送受信されたメッセージを画面上に表示してもよい。また、対象端末１０とエージェント装置４０との間で送受信される各メッセージには、送信先の端末と対応するユーザの名称が表示されていてもよい。また、エージェント装置４０は、メッセージの送受信を行った際に、その旨を音声で出力してもよい。
【０２３０】
上述したように、判定結果に関する情報はサーバ装置３０からエージェント装置４０の他にユーザ端末２０に対しても送信され得る。その場合、ユーザ端末２０は、例えば、図１６を参照して説明したホーム画面Ｄ４１を表示した後、図１７を参照して説明したマップ画面Ｄ２２を表示する。ここで、判定結果の通知に関する画面としてユーザ端末２０により表示される画面は、上記の例に限定されず、そのような画面として種々の画面が適用され得る。例えば、ユーザ端末２０は、被保護者により携帯される対象端末１０にメッセージを送信するためのオブジェクトを含む画面を表示してもよい。図２７に示されるマップ画面Ｄ２３は、このような場合におけるマップ画面の一例である。
【０２３１】
図２７に示されるマップ画面Ｄ２３では、図１７に示されるマップ画面Ｄ２２と比較して、画面の下部に表示される内容について主に異なる。図２７に示されるように、マップ画面Ｄ２３の下部には、例えば、上から順に、判定結果の内容（具体的には、被保護者が基準領域９０３から離脱した旨）が文字等によって表示される表示領域２１２、メッセージを送信するためのボタン５１３、被保護者の現在位置を確認するためのボタン５１４及び表示領域２１２により示される判定結果に関する情報の通知を今後受けることを望まない旨を示す情報を入力するためのボタン５１５が表示されている。
【０２３２】
保護者は、ボタン５１３をタップ操作等により選択することによって、表示されているマップ画面Ｄ２３をメッセージの送信のための画面に切り替えることができる。そして、保護者は、送信するメッセージを入力することによって、対象端末１０に所望のメッセージを送信することができる。なお、対象端末１０からユーザ端末２０に対してもメッセージを送信可能となっており、ユーザ端末２０は、対象端末１０とユーザ端末２０との間で送受信されたメッセージを画面上に表示してもよい。また、対象端末１０とユーザ端末２０との間で送受信されたメッセージはエージェント装置４０に対しても各端末から送信されてもよく、当該メッセージがエージェント装置４０によって表示されてもよい。
【０２３３】
また、保護者は、ボタン５１４をタップ操作等により選択することによって、表示されているマップ画面Ｄ２３を被保護者の現在位置を示す画面に切り替えることができる。また、保護者は、ボタン５１５をタップ操作等により選択することによって、表示領域２１２により示される判定結果に関する情報の通知を今後受けることを望まない旨を示す否定的な情報を入力することができる。
【０２３４】
上述したように、サーバ装置３０は、対象端末１０及びユーザ端末２０により検出された情報等を含む様々な情報を取得し得る。サーバ装置３０は、このように得られる様々な情報を利用して、上記で説明した処理以外の種々の処理を行ってもよい。例えば、サーバ装置３０は、家族等のグループのメンバーどうしが出会ったか否かを判定し、判定結果に関する情報をエージェント装置４０又はユーザ端末２０に送信してもよい。なお、このような処理は、具体的には、各メンバーが携帯する端末により検出される各メンバーの位置情報を利用することによって実現され得る。
【０２３５】
上記のメンバーどうしの出会いについての判定結果に関する情報がエージェント装置４０に送信された場合、上述したように、エージェント装置４０は、取得した判定結果に関する情報を、音声の出力及び画面の表示によって、ユーザに提供することができる。また、エージェント装置４０は、出会った各メンバーにより携帯される端末にメッセージを送信するための処理を、上述した対象端末１０にメッセージを送信するための処理と同様に、実行してもよい。
【０２３６】
また、上記のメンバーどうしの出会いについての判定結果に関する情報がユーザ端末２０に送信された場合、上述したように、ユーザ端末２０は、取得した判定結果の通知に関する種々の画面を表示し得る。また、ユーザ端末２０は、出会った各メンバーにより携帯される端末にメッセージを送信するための処理を、上述した対象端末１０にメッセージを送信するための処理と同様に、実行してもよい。
【０２３７】
さらに、サーバ装置３０は、グループのメンバーどうしが出会った領域が、当該メンバーが通る頻度が比較的低い（つまり、当該メンバーが普段あまり行かない）領域である場合、そのような領域で当該メンバーが出会うことを上述したイベントとして抽出してもよい。その場合、サーバ装置３０は、例えば、上記メンバーどうしが出会った上記領域をイベントの発生の有無の判定における基準領域候補として抽出する。その後、サーバ装置３０は、抽出した基準領域候補を基準領域として適用することによって、上記メンバーどうしが上記領域で出会うことに相当するイベントの発生の有無を判定することができる。
【０２３８】
また、サーバ装置３０は、このようなイベントの発生の有無についての判定における判定結果に関する情報をエージェント装置４０又はユーザ端末２０に送信してもよい。例えば、サーバ装置３０は、上記メンバーどうしが上記領域で再度出会った場合に、その旨を示す判定結果に関する情報をエージェント装置４０又はユーザ端末２０に送信してもよい。この場合においても、エージェント装置４０は、判定結果に関する情報を、音声の出力及び画面の表示によって、上述したように、ユーザに提供することができる。また、ユーザ端末２０は、上述したように、取得した判定結果の通知に関する種々の画面を表示し得る。
【０２３９】
＜５．まとめ＞
以上説明したように、本実施形態に係るサーバ装置３０は、対象物の位置が地理的な領域である基準領域内であるか否かを判定する判定部３２と、基準領域の候補である基準領域候補を抽出する抽出部３３と、抽出された基準領域候補に関する情報を基準条件と対応させて出力する通信部３１とを備える。それにより、保護者等のユーザは、基準領域候補及び基準領域候補と対応する基準条件を参照しつつ、基準領域に関する設定を行うことができる。ゆえに、見守りシステム１についての設定作業における人的負担を軽減することが可能となる。
【０２４０】
なお、上述では、見守りシステム１において、サーバ装置３０が本開示に係る情報処理装置の一例に相当する例を説明したが、見守りシステム１における他の装置が本開示に係る情報処理装置の機能の一部又は全部を有してもよい。例えば、ユーザ端末２０が、上記でサーバ装置３０の機能として説明した機能の全部を有してもよい。また、上記でサーバ装置３０の機能として説明した機能の一部が、ユーザ端末２０及びサーバ装置３０に分割されてもよい。
【０２４１】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：ｎｏｎ−ｔｒａｎｓｉｔｏｒｙ  ｍｅｄｉａ）に予め格納される。そして、各プログラムは、例えば、実行時にＲＡＭに読み込まれ、ＣＰＵなどのプロセッサにより実行される。各プログラムを実行するプロセッサは、単数であっても複数であってもよい。
【０２４２】
具体的には、上述のような本実施形態に係るサーバ装置３０の各機能を実現するためのコンピュータプログラムを作製し、ＰＣ等に実装することが可能である。本実施形態に係るサーバ装置３０は、コンピュータに相当し得る。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。また、本実施形態に係るサーバ装置３０の各機能は複数のコンピュータにより分割されてもよく、その場合、当該複数のコンピュータが有する各機能は、上記のコンピュータプログラムにより実現され得る。
【０２４３】
また、本明細書においてフローチャートを用いて説明した処理は、必ずしもフローチャートに示された順序で実行されなくてもよい。いくつかの処理ステップは、並列的に実行されてもよい。また、追加的な処理ステップが採用されてもよく、一部の処理ステップが省略されてもよい。
【０２４４】
以上、添付図面を参照しながら本開示の好適な実施形態について詳細に説明したが、本開示の技術的範囲は係る例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２４５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２４６】
なお、以下のような構成も本開示の技術的範囲に属する。
（１）
対象物の位置が地理的な領域である基準領域内であるか否かを判定する判定部と、
前記基準領域の候補である基準領域候補を抽出する抽出部と、
抽出された前記基準領域候補に関する情報を基準条件と対応させて出力する出力部と、
を備える、
情報処理装置。
（２）
前記判定部は、前記対象物の位置が前記基準領域内であると判定された場合、前記基準領域と対応する前記基準条件が満たされるか否かを判定する、
前記（１）に記載の情報処理装置。
（３）
前記基準条件は、時間に関する情報を規定する条件である時間条件、環境に関する情報を規定する条件である環境条件、又は前記対象物の行動に関する情報を規定する条件である行動条件を含む、
前記（１）又は（２）に記載の情報処理装置。
（４）
前記対象物の行動に関する情報は、前記対象物の移動方法、同伴者又は行動内容を示す情報を含む、
前記（３）に記載の情報処理装置。
（５）
抽出された前記基準領域候補に基づいて前記基準領域及び前記基準条件を設定する設定部を備える、
前記（１）〜（４）のいずれか一項に記載の情報処理装置。
（６）
前記出力部は、前記判定部による判定結果に関する情報を出力する、
前記（５）に記載の情報処理装置。
（７）
前記設定部は、出力された前記判定部による判定結果に関する情報に対するユーザからの入力情報の履歴に基づいて、前記基準領域及び前記基準条件を設定する、
前記（６）に記載の情報処理装置。
（８）
前記出力部は、出力された前記判定部による判定結果に関する情報に対するユーザからの入力情報の履歴に基づいて、前記判定部による判定結果に関する情報を出力する、
前記（６）又は（７）に記載の情報処理装置。
（９）
前記抽出部は、前記対象物の位置の履歴に基づいて前記基準領域候補又は前記基準領域候補と対応する前記基準条件を抽出する、
前記（１）〜（８）のいずれか一項に記載の情報処理装置。
（１０）
対象物の位置が地理的な領域である基準領域内であるか否かを判定することと、
前記基準領域の候補である基準領域候補を抽出することと、
抽出された前記基準領域候補に関する情報を基準条件と対応させて情報処理装置によって出力することと、
を含む、
情報処理方法。
（１１）
コンピュータを、
対象物の位置が地理的な領域である基準領域内であるか否かを判定する判定部と、
前記基準領域の候補である基準領域候補を抽出する抽出部と、
抽出された前記基準領域候補に関する情報を基準条件と対応させて出力する出力部と、
として機能させるためのプログラム。
（１２）
前記判定部は、前記対象物の位置が前記基準領域内であると判定された場合、前記基準領域と対応する前記基準条件が満たされるか否かを判定する、
前記（１１）に記載のプログラム。
（１３）
前記基準条件は、時間に関する情報を規定する条件である時間条件、環境に関する情報を規定する条件である環境条件、又は前記対象物の行動に関する情報を規定する条件である行動条件を含む、
前記（１１）又は（１２）に記載のプログラム。
（１４）
前記対象物の行動に関する情報は、前記対象物の移動方法、同伴者又は行動内容を示す情報を含む、
前記（１３）に記載のプログラム。
（１５）
前記コンピュータを、抽出された前記基準領域候補に基づいて前記基準領域及び前記基準条件を設定する設定部としてさらに機能させるための、
前記（１１）〜（１４）のいずれか一項に記載のプログラム。
（１６）
前記出力部は、前記判定部による判定結果に関する情報を出力する、
前記（１５）に記載のプログラム。
（１７）
前記設定部は、出力された前記判定部による判定結果に関する情報に対するユーザからの入力情報の履歴に基づいて、前記基準領域及び前記基準条件を設定する、
前記（１６）に記載のプログラム。
（１８）
前記出力部は、出力された前記判定部による判定結果に関する情報に対するユーザからの入力情報の履歴に基づいて、前記判定部による判定結果に関する情報を出力する、
前記（１６）又は（１７）に記載のプログラム。
（１９）
前記抽出部は、前記対象物の位置の履歴に基づいて前記基準領域候補又は前記基準領域候補と対応する前記基準条件を抽出する、
前記（１１）〜（１８）のいずれか一項に記載のプログラム。
【符号の説明】
【０２４７】
１  見守りシステム
１０  対象端末
２０  ユーザ端末
３０  サーバ装置
３１  通信部
３２  判定部
３３  抽出部
３４  設定部
３５  記憶部
Ｎ１０  情報ネットワーク
【図１】
2018193808.tif 000003
【図２】
2018193808.tif 000004
【図３】
2018193808.tif 000005
【図４】
2018193808.tif 000006
【図５】
2018193808.tif 000007
【図６】
2018193808.tif 000008
【図７】
2018193808.tif 000009
【図８】
2018193808.tif 000010
【図９】
2018193808.tif 000011
【図１０】
2018193808.tif 000012
【図１１】
2018193808.tif 000013
【図１２】
2018193808.tif 000014
【図１３】
2018193808.tif 000015
【図１４】
2018193808.tif 000016
【図１５】
2018193808.tif 000017
【図１６】
2018193808.tif 000018
【図１７】
2018193808.tif 000019
【図１８】
2018193808.tif 000020
【図１９】
2018193808.tif 000021
【図２０】
2018193808.tif 000022
【図２１】
2018193808.tif 000023
【図２２】
2018193808.tif 000024
【図２３】
2018193808.tif 000025
【図２４】
2018193808.tif 000026
【図２５】
2018193808.tif 000027
【図２６】
2018193808.tif 000028
【図２７】
2018193808.tif 000029
【国際調査報告】
2018193808.tif 000030
2018193808.tif 000031